(57)【要約】  複数のデータベアラが、キャリアアグリゲーションのためのユーザ機器（ＵＥ）のために構成され得、複数の発展型ノードＢ（ｅＮＢ）の間で分割され得る。ｅＮＢは、チャネル状態、負荷など、様々な基準に基づいて、ＵＥのための複数のデータベアラをサービスするために選択され得る。ＵＥの各データベアラをサービスするために特定のｅＮＢが選択され得るように、データベアラごとにＵＥのためのデータベアラをサービスするために、様々なｅＮＢが選択され得る。次いで、ＵＥのための各データパケットが適切なデータベアラを介して送られ得る。【選択図】図４
2015529035.tif 000002
【特許請求の範囲】
【請求項１】
ワイヤレス通信の方法であって、
第１の基地局によってサービスされるユーザ機器（ＵＥ）のために構成された複数のデータベアラを識別することと、
第２の基地局を識別する測定報告を前記ＵＥから受信することと、
前記第２の基地局に、前記複数のデータベアラのうちの少なくとも１つのデータベアラをオフロードすることを判断することと、
前記第１の基地局が、前記第２の基地局に前記少なくとも１つのデータベアラをオフロードするために前記第２の基地局と通信することと、ここにおいて、前記ＵＥのためのデータが、前記第１の基地局および前記第２の基地局を通して前記複数のデータベアラを介して送られる、
前記第１の基地局から前記第２の基地局に前記少なくとも１つのデータベアラのためのデータをフォワーディングすることと
を備える、方法。
【請求項２】
前記第１の基地局が、前記少なくとも１つのデータベアラをオフロードするために前記第２の基地局と前記通信することは、
前記第１の基地局から前記第２の基地局にオフロード要求メッセージを送ることを備え、前記オフロード要求メッセージが、前記第２の基地局にオフロードされている前記少なくとも１つのデータベアラを搬送する、
請求項１に記載の方法。
【請求項３】
前記オフロード要求メッセージが、前記少なくとも１つのデータベアラについてのサービス品質（ＱｏＳ）情報をさらに含む、請求項２に記載の方法。
【請求項４】
前記第１の基地局から前記ＵＥに再構成メッセージを送ることをさらに備え、前記再構成メッセージが、前記第２の基地局にオフロードされている前記少なくとも１つのデータベアラに関連する少なくとも１つの無線アクセスベアラについての無線リソース構成情報を含む、
請求項１に記載の方法。
【請求項５】
前記第２の基地局から１つまたは複数のデータベアラの処理を変更することを判断することと、前記１つまたは複数のデータベアラが、前記第２の基地局にオフロードされた前記少なくとも１つのデータベアラのうちにある、
前記第１の基地局が、前記第２の基地局から前記１つまたは複数のデータベアラの処理を変更するために前記第２の基地局と通信することと
をさらに備え、
ここにおいて、前記ＵＥの前記１つまたは複数のデータベアラのためのデータが別の基地局を介して送られる、
請求項１に記載の方法。
【請求項６】
前記第２の基地局から１つまたは複数のデータベアラの処理を変更することを前記判断することが、
前記第１の基地局において前記ＵＥから第２の測定報告を受信することと、
前記第２の測定報告に基づいて、前記第２の基地局から前記１つまたは複数のデータベアラの処理を変更することを判断することと
を備える、請求項５に記載の方法。
【請求項７】
前記第１の基地局が、前記１つまたは複数のデータベアラの処理を変更するために前記第２の基地局と前記通信することが、
前記第１の基地局から前記第２の基地局に変更要求メッセージを送ることを備え、前記変更要求メッセージが、前記第２の基地局から変更されている前記１つまたは複数のデータベアラを搬送する、
請求項５に記載の方法。
【請求項８】
前記第１の基地局から前記ＵＥに再構成メッセージを送ることをさらに備え、前記再構成メッセージは、前記第２の基地局から処理が変更されている前記１つまたは複数のデータベアラに関連する１つまたは複数の無線アクセスベアラについての無線リソース構成情報を含む、
請求項５に記載の方法。
【請求項９】
ワイヤレス通信の方法であって、
第１の基地局によってサービスされるユーザ機器（ＵＥ）のために構成された複数のデータベアラを識別することと、
第２の基地局を識別する測定報告を前記ＵＥから受信することと、
前記第２の基地局に、前記複数のデータベアラのうちの少なくとも１つのデータベアラをオフロードすることを判断することと、
前記第１の基地局が、前記第２の基地局に前記少なくとも１つのデータベアラをオフロードするために前記第２の基地局と通信することと、
前記第２の基地局にオフロードされている前記少なくとも１つのデータベアラを搬送するためにモビリティ管理エンティティ（ＭＭＥ）と通信することと、ここにおいて、前記ＵＥのためのデータが、前記第１の基地局および前記第２の基地局を通して前記複数のデータベアラを介して送られる、
を備える、方法。
【請求項１０】
前記第１の基地局から前記ＵＥに再構成メッセージを送ることをさらに備え、前記再構成メッセージが、前記第２の基地局にオフロードされている前記少なくとも１つのデータベアラに関連する少なくとも１つの無線アクセスベアラについての無線リソース構成情報を含む、
請求項９に記載の方法。
【請求項１１】
前記第２の基地局から１つまたは複数のデータベアラを処理することを変更することを判断することと、前記１つまたは複数のデータベアラが、前記第２の基地局にオフロードされた前記少なくとも１つのデータベアラのうちにある、
前記第１の基地局が、前記第２の基地局から前記１つまたは複数のデータベアラの処理を変更するために前記第２の基地局と通信することと
をさらに備え、
ここにおいて、前記ＵＥの前記１つまたは複数のデータベアラのためのデータが別の基地局を介して送られる、
請求項９に記載の方法。
【請求項１２】
前記第２の基地局から１つまたは複数のデータベアラを処理することを変更することを前記判断することが、
前記第１の基地局において前記ＵＥから第２の測定報告を受信することと、
前記第２の測定報告に基づいて、前記第２の基地局から前記１つまたは複数のデータベアラの処理を変更することを判断することと
を備える、請求項１１に記載の方法。
【請求項１３】
前記第１の基地局が、前記１つまたは複数のデータベアラを処理することを変更するために前記第２の基地局と前記通信することが、
前記第１の基地局から前記第２の基地局に変更要求メッセージを送ることを備え、前記変更要求メッセージは、前記第２の基地局から処理が変更されている前記１つまたは複数のデータベアラを搬送する、
請求項１１に記載の方法。
【請求項１４】
前記第１の基地局から前記ＵＥに再構成メッセージを送ることをさらに備え、前記再構成メッセージは、前記第２の基地局から処理が変更されている前記１つまたは複数のデータベアラに関連する１つまたは複数の無線アクセスベアラについての無線リソース構成情報を含む、
請求項１１に記載の方法。
【請求項１５】
ワイヤレス通信の方法であって、
第１の基地局から第２の基地局に送られたオフロード要求メッセージを受信することと、前記オフロード要求メッセージが、前記第２の基地局にオフロードするために少なくとも１つのデータベアラを搬送し、前記少なくとも１つのデータベアラが、ユーザ機器（ＵＥ）のために構成された複数のデータベアラのうちにある、
前記第２の基地局において前記ＵＥの前記少なくとも１つのデータベアラを承認することと、
前記第２の基地局において、前記第１の基地局から前記少なくとも１つのデータベアラのためのデータを受信することと、
前記第２の基地局を介して前記ＵＥの前記少なくとも１つのデータベアラのための前記データを交換することと
を備える、方法。
【請求項１６】
前記第１の基地局から前記第２の基地局に送られた変更要求メッセージを受信することと、前記変更要求メッセージは、前記第２の基地局から処理が前記第１の基地局によって変更されている１つまたは複数のデータベアラを搬送し、前記１つまたは複数のデータベアラが、前記第２の基地局にオフロードされた前記少なくとも１つのデータベアラのうちにある、
前記１つまたは複数のデータベアラのためのデータの前記ＵＥとの交換を終了することと
をさらに備える、請求項１５に記載の方法。
【請求項１７】
ワイヤレス通信の方法であって、
第１の基地局によってユーザ機器（ＵＥ）に送られた第１の再構成メッセージを受信することと、前記第１の再構成メッセージが、前記第１の基地局から第２の基地局にオフロードされている少なくとも１つのデータベアラに関連する少なくとも１つの無線アクセスベアラについての第１の無線リソース構成情報を含む、
前記第１の再構成メッセージに応答して前記第２の基地局にアクセスすることと、
前記第２の基地局を介して前記ＵＥの前記少なくとも１つのデータベアラのためのデータを交換することと
を備える、方法。
【請求項１８】
前記第２の基地局に前記アクセスすることが、ランダムアクセスチャネル（ＲＡＣＨ）を介して前記第２の基地局にアクセスすることを備える、請求項１７に記載の方法。
【請求項１９】
前記第１の基地局によって前記ＵＥに送られた第２の再構成メッセージを受信することと、前記第２の再構成メッセージは、前記第２の基地局から処理が変更されている１つまたは複数のデータベアラに関連する１つまたは複数の無線アクセスベアラについての第２の無線リソース構成情報を含み、前記１つまたは複数のデータベアラが、前記第２の基地局にオフロードされた前記少なくとも１つのデータベアラのうちにある、
前記第１の基地局を介して前記ＵＥの前記１つまたは複数のデータベアラのためのデータを交換することと
をさらに備える、請求項１７に記載の方法。
【請求項２０】
処理が変更されている前記１つまたは複数のデータベアラのための前記第２の基地局との通信を終了すること
をさらに備える、請求項１９に記載の方法。
【請求項２１】
前記第１の基地局によって前記ＵＥに送られた第２の再構成メッセージを受信することをさらに備え、前記第２の再構成メッセージが、前記第２の基地局にオフロードされているかまたは前記第２の基地局から処理が変更されている、前記ＵＥの１つまたは複数のデータベアラに関連する１つまたは複数の無線アクセスベアラについての第２の無線リソース構成情報を含む、
請求項１７に記載の方法。
【請求項２２】
ワイヤレス通信のために構成された装置であって、
第１の基地局によってサービスされるユーザ機器（ＵＥ）のために構成された複数のデータベアラを識別するための手段と、
第２の基地局を識別する測定報告を前記ＵＥから受信するための手段と、
前記第２の基地局に、前記複数のデータベアラのうちの少なくとも１つのデータベアラをオフロードすることを判断するための手段と、
前記第１の基地局が、前記第２の基地局に前記少なくとも１つのデータベアラをオフロードするために前記第２の基地局と通信するための手段と、ここにおいて、前記ＵＥのためのデータが、前記第１の基地局および前記第２の基地局を通して前記複数のデータベアラを介して送られる、
前記第１の基地局から前記第２の基地局に前記少なくとも１つのデータベアラのためのデータをフォワーディングするための手段と
を備える、装置。
【請求項２３】
前記第１の基地局が、前記少なくとも１つのデータベアラをオフロードするために前記第２の基地局と通信するための前記手段は、
前記第１の基地局から前記第２の基地局にオフロード要求メッセージを送るための手段を備え、前記オフロード要求メッセージが、前記第２の基地局にオフロードされている前記少なくとも１つのデータベアラを搬送する、
請求項２２に記載の装置。
【請求項２４】
前記オフロード要求メッセージが、前記少なくとも１つのデータベアラについてのサービス品質（ＱｏＳ）情報をさらに含む、請求項２３に記載の装置。
【請求項２５】
前記第１の基地局から前記ＵＥに再構成メッセージを送るための手段をさらに備え、前記再構成メッセージが、前記第２の基地局にオフロードされている前記少なくとも１つのデータベアラに関連する少なくとも１つの無線アクセスベアラについての無線リソース構成情報を含む、
請求項２２に記載の装置。
【請求項２６】
前記第２の基地局から１つまたは複数のデータベアラの処理を変更することを判断するための手段と、前記１つまたは複数のデータベアラが、前記第２の基地局にオフロードされた前記少なくとも１つのデータベアラのうちにある、
前記第１の基地局が、前記第２の基地局から前記１つまたは複数のデータベアラの処理を変更するために前記第２の基地局と通信するための手段と
をさらに備え、
ここにおいて、前記ＵＥの前記１つまたは複数のデータベアラのためのデータが別の基地局を介して送られる、
請求項２２に記載の装置。
【請求項２７】
前記第２の基地局から１つまたは複数のデータベアラの処理を変更することを判断するための前記手段が、
前記第１の基地局において前記ＵＥから第２の測定報告を受信するための手段と、
前記第２の測定報告に基づいて、前記第２の基地局から前記１つまたは複数のデータベアラの処理を変更することを判断するための手段と
を備える、請求項２６に記載の装置。
【請求項２８】
前記第１の基地局が、前記１つまたは複数のデータベアラの処理を変更するために前記第２の基地局と通信するための前記手段は、
前記第１の基地局から前記第２の基地局に変更要求メッセージを送るための手段を備え、前記変更要求メッセージが、前記第２の基地局から変更されている前記１つまたは複数のデータベアラを搬送する、
請求項２６に記載の装置。
【請求項２９】
前記第１の基地局から前記ＵＥに再構成メッセージを送るための手段をさらに備え、前記再構成メッセージは、前記第２の基地局から処理が変更されている前記１つまたは複数のデータベアラに関連する１つまたは複数の無線アクセスベアラについての無線リソース構成情報を含む、
請求項２６に記載の装置。
【請求項３０】
ワイヤレス通信のために構成された装置であって、
第１の基地局によってサービスされるユーザ機器（ＵＥ）のために構成された複数のデータベアラを識別するための手段と、
第２の基地局を識別する測定報告を前記ＵＥから受信するための手段と、
前記第２の基地局に、前記複数のデータベアラのうちの少なくとも１つのデータベアラをオフロードすることを判断するための手段と、
前記第１の基地局が、前記第２の基地局に前記少なくとも１つのデータベアラをオフロードするために前記第２の基地局と通信するための手段と、
前記第２の基地局にオフロードされている前記少なくとも１つのデータベアラを搬送するためにモビリティ管理エンティティ（ＭＭＥ）と通信するための手段と、ここにおいて、前記ＵＥのためのデータが、前記第１の基地局および前記第２の基地局を通して前記複数のデータベアラを介して送られる、
を備える、装置。
【請求項３１】
前記第１の基地局から前記ＵＥに再構成メッセージを送るための手段をさらに備え、前記再構成メッセージが、前記第２の基地局にオフロードされている前記少なくとも１つのデータベアラに関連する少なくとも１つの無線アクセスベアラについての無線リソース構成情報を含む、
請求項３０に記載の装置。
【請求項３２】
前記第２の基地局から１つまたは複数のデータベアラを処理することを変更することを判断するための手段と、前記１つまたは複数のデータベアラが、前記第２の基地局にオフロードされた前記少なくとも１つのデータベアラのうちにある、
前記第１の基地局が、前記第２の基地局から前記１つまたは複数のデータベアラの処理を変更するために前記第２の基地局と通信するための手段と
をさらに備え、
ここにおいて、前記ＵＥの前記１つまたは複数のデータベアラのためのデータが別の基地局を介して送られる、
請求項３０に記載の装置。
【請求項３３】
前記第２の基地局から１つまたは複数のデータベアラを処理することを変更することを判断するための前記手段が、
前記第１の基地局において前記ＵＥから第２の測定報告を受信するための手段と、
前記第２の測定報告に基づいて、前記第２の基地局から前記１つまたは複数のデータベアラの処理を変更することを判断するための手段と
を備える、請求項３２に記載の装置。
【請求項３４】
前記第１の基地局が、前記１つまたは複数のデータベアラを処理することを変更するために前記第２の基地局と通信するための前記手段は、
前記第１の基地局から前記第２の基地局に変更要求メッセージを送るための手段を備え、前記変更要求メッセージは、前記第２の基地局から処理が変更されている前記１つまたは複数のデータベアラを搬送する、
請求項３２に記載の装置。
【請求項３５】
前記第１の基地局から前記ＵＥに再構成メッセージを送るための手段をさらに備え、前記再構成メッセージは、前記第２の基地局から処理が変更されている前記１つまたは複数のデータベアラに関連する１つまたは複数の無線アクセスベアラについての無線リソース構成情報を含む、
請求項３２に記載の装置。
【請求項３６】
ワイヤレス通信のために構成された装置であって、
第１の基地局から第２の基地局に送られたオフロード要求メッセージを受信するための手段と、前記オフロード要求メッセージが、前記第２の基地局にオフロードするために少なくとも１つのデータベアラを搬送し、前記少なくとも１つのデータベアラが、ユーザ機器（ＵＥ）のために構成された複数のデータベアラのうちにある、
前記第２の基地局において前記ＵＥの前記少なくとも１つのデータベアラを承認するための手段と、
前記第２の基地局において、前記第１の基地局から前記少なくとも１つのデータベアラのためのデータを受信するための手段と、
前記第２の基地局を介して前記ＵＥの前記少なくとも１つのデータベアラのための前記データを交換するための手段と
を備える、装置。
【請求項３７】
前記第１の基地局から前記第２の基地局に送られた変更要求メッセージを受信するための手段と、前記変更要求メッセージは、前記第２の基地局から処理が前記第１の基地局によって変更されている１つまたは複数のデータベアラを搬送し、前記１つまたは複数のデータベアラが、前記第２の基地局にオフロードされた前記少なくとも１つのデータベアラのうちにある、
前記１つまたは複数のデータベアラのためのデータの前記ＵＥとの交換を終了するための手段と
をさらに備える、請求項３６に記載の装置。
【請求項３８】
ワイヤレス通信のために構成された装置であって、
第１の基地局によってユーザ機器（ＵＥ）に送られた第１の再構成メッセージを受信するための手段と、前記第１の再構成メッセージが、前記第１の基地局から第２の基地局にオフロードされている少なくとも１つのデータベアラに関連する少なくとも１つの無線アクセスベアラについての第１の無線リソース構成情報を含む、
前記第１の再構成メッセージに応答して前記第２の基地局にアクセスするための手段と、
前記第２の基地局を介して前記ＵＥの前記少なくとも１つのデータベアラのためのデータを交換するための手段と
を備える、装置。
【請求項３９】
前記第２の基地局にアクセスするための前記手段が、ランダムアクセスチャネル（ＲＡＣＨ）を介して前記第２の基地局にアクセスすることを備える、請求項３８に記載の装置。
【請求項４０】
前記第１の基地局によって前記ＵＥに送られた第２の再構成メッセージを受信するための手段と、前記第２の再構成メッセージは、前記第２の基地局から処理が変更されている１つまたは複数のデータベアラに関連する１つまたは複数の無線アクセスベアラについての第２の無線リソース構成情報を含み、前記１つまたは複数のデータベアラが、前記第２の基地局にオフロードされた前記少なくとも１つのデータベアラのうちにある、
前記第１の基地局を介して前記ＵＥの前記１つまたは複数のデータベアラのためのデータを交換するための手段と
をさらに備える、請求項３８に記載の装置。
【請求項４１】
処理が変更されている前記１つまたは複数のデータベアラのための前記第２の基地局との通信を終了するための手段
をさらに備える、請求項４０に記載の装置。
【請求項４２】
前記第１の基地局によって前記ＵＥに送られた第２の再構成メッセージを受信するための手段をさらに備え、前記第２の再構成メッセージが、前記第２の基地局にオフロードされているかまたは前記第２の基地局から処理が変更されている、前記ＵＥの１つまたは複数のデータベアラに関連する１つまたは複数の無線アクセスベアラについての第２の無線リソース構成情報を含む、
請求項３８に記載の装置。
【請求項４３】
ワイヤレスネットワークにおけるワイヤレス通信のためのコンピュータプログラム製品であって、
プログラムコードを記録した非一時的コンピュータ可読媒体を備え、前記プログラムコードは、
第１の基地局によってサービスされるユーザ機器（ＵＥ）のために構成された複数のデータベアラを識別することをコンピュータに行わせるためのプログラムコードと、
第２の基地局を識別する測定報告を前記ＵＥから受信することを前記コンピュータに行わせるためのプログラムコードと、
前記第２の基地局に、前記複数のデータベアラのうちの少なくとも１つのデータベアラをオフロードすることを判断することを前記コンピュータに行わせるためのプログラムコードと、
前記第１の基地局が、前記第２の基地局に前記少なくとも１つのデータベアラをオフロードするために前記第２の基地局と通信することを前記コンピュータに行わせるためのプログラムコードと、ここにおいて、前記ＵＥのためのデータが、前記第１の基地局および前記第２の基地局を通して前記複数のデータベアラを介して送られる、
前記第１の基地局から前記第２の基地局に前記少なくとも１つのデータベアラのためのデータをフォワーディングすることを前記コンピュータに行わせるためのプログラムコードと
を含む、コンピュータプログラム製品。
【請求項４４】
前記第２の基地局から１つまたは複数のデータベアラの処理を変更することを判断することを前記コンピュータに行わせるためのプログラムコードと、前記１つまたは複数のデータベアラが、前記第２の基地局にオフロードされた前記少なくとも１つのデータベアラのうちにある、
前記第１の基地局が、前記第２の基地局から前記１つまたは複数のデータベアラの処理を変更するために前記第２の基地局と通信することを前記コンピュータに行わせるためのプログラムコードと
をさらに備え、
ここにおいて、前記ＵＥの前記１つまたは複数のデータベアラのためのデータが別の基地局を介して送られる、
請求項４３に記載のコンピュータプログラム製品。
【請求項４５】
ワイヤレスネットワークにおけるワイヤレス通信のためのコンピュータプログラム製品であって、
プログラムコードを記録した非一時的コンピュータ可読媒体を備え、前記プログラムコードは、
第１の基地局によってサービスされるユーザ機器（ＵＥ）のために構成された複数のデータベアラを識別することをコンピュータに行わせるためのプログラムコードと、
第２の基地局を識別する測定報告を前記ＵＥから受信することを前記コンピュータに行わせるためのプログラムコードと、
前記第２の基地局に、前記複数のデータベアラのうちの少なくとも１つのデータベアラをオフロードすることを判断することを前記コンピュータに行わせるためのプログラムコードと、
前記第１の基地局が、前記第２の基地局に前記少なくとも１つのデータベアラをオフロードするために前記第２の基地局と通信することを前記コンピュータに行わせるためのプログラムコードと、
前記第２の基地局にオフロードされている前記少なくとも１つのデータベアラを搬送するためにモビリティ管理エンティティ（ＭＭＥ）と通信することを前記コンピュータに行わせるためのプログラムコードと、ここにおいて、前記ＵＥのためのデータが、前記第１の基地局および前記第２の基地局を通して前記複数のデータベアラを介して送られる、
を含む、コンピュータプログラム製品。
【請求項４６】
前記第２の基地局から１つまたは複数のデータベアラを処理することを変更することを判断することを前記コンピュータに行わせるためのプログラムコードと、前記１つまたは複数のデータベアラが、前記第２の基地局にオフロードされた前記少なくとも１つのデータベアラのうちにある、
前記第１の基地局が、前記第２の基地局から前記１つまたは複数のデータベアラの処理を変更するために前記第２の基地局と通信することを前記コンピュータに行わせるためのプログラムコードと
をさらに備え、
ここにおいて、前記ＵＥの前記１つまたは複数のデータベアラのためのデータが別の基地局を介して送られる、
請求項４５に記載のコンピュータプログラム製品。
【請求項４７】
ワイヤレスネットワークにおけるワイヤレス通信のためのコンピュータプログラム製品であって、
プログラムコードを記録した非一時的コンピュータ可読媒体を備え、前記プログラムコードは、
第１の基地局から第２の基地局に送られたオフロード要求メッセージを受信することをコンピュータに行わせるためのプログラムコードと、前記オフロード要求メッセージが、前記第２の基地局にオフロードするために少なくとも１つのデータベアラを搬送し、前記少なくとも１つのデータベアラが、ユーザ機器（ＵＥ）のために構成された複数のデータベアラのうちにある、
前記第２の基地局において前記ＵＥの前記少なくとも１つのデータベアラを承認することを前記コンピュータに行わせるためのプログラムコードと、
前記第２の基地局において、前記第１の基地局から前記少なくとも１つのデータベアラのためのデータを受信することを前記コンピュータに行わせるためのプログラムコードと、
前記第２の基地局を介して前記ＵＥの前記少なくとも１つのデータベアラのための前記データを交換することを前記コンピュータに行わせるためのプログラムコードと
を含む、コンピュータプログラム製品。
【請求項４８】
前記第１の基地局から前記第２の基地局に送られた変更要求メッセージを受信することを前記コンピュータに行わせるためのプログラムコードと、前記変更要求メッセージは、前記第２の基地局から処理が前記第１の基地局によって変更されている１つまたは複数のデータベアラを搬送し、前記１つまたは複数のデータベアラが、前記第２の基地局にオフロードされた前記少なくとも１つのデータベアラのうちにある、
前記１つまたは複数のデータベアラのためのデータの前記ＵＥとの交換を終了することを前記コンピュータに行わせるためのプログラムコードと
をさらに備える、請求項４７に記載のコンピュータプログラム製品。
【請求項４９】
ワイヤレスネットワークにおけるワイヤレス通信のためのコンピュータプログラム製品であって、
プログラムコードを記録した非一時的コンピュータ可読媒体を備え、前記プログラムコードは、
第１の基地局によってユーザ機器（ＵＥ）に送られた第１の再構成メッセージを受信することをコンピュータに行わせるためのプログラムコードと、前記第１の再構成メッセージが、前記第１の基地局から第２の基地局にオフロードされている少なくとも１つのデータベアラに関連する少なくとも１つの無線アクセスベアラについての第１の無線リソース構成情報を含む、
前記第１の再構成メッセージに応答して前記第２の基地局にアクセスすることを前記コンピュータに行わせるためのプログラムコードと、
前記第２の基地局を介して前記ＵＥの前記少なくとも１つのデータベアラのためのデータを交換することを前記コンピュータに行わせるためのプログラムコードと
を含む、コンピュータプログラム製品。
【請求項５０】
前記第１の基地局によって前記ＵＥに送られた第２の再構成メッセージを受信することを前記コンピュータに行わせるためのプログラムコードをさらに備え、前記第２の再構成メッセージが、前記第２の基地局にオフロードされているかまたは前記第２の基地局から処理が変更されている、前記ＵＥの１つまたは複数のデータベアラに関連する１つまたは複数の無線アクセスベアラについての第２の無線リソース構成情報を含む、
請求項４９に記載のコンピュータプログラム製品。
【請求項５１】
ワイヤレス通信のために構成された装置であって、前記装置が、
少なくとも１つのプロセッサと、
前記少なくとも１つのプロセッサに結合されたメモリと
を備え、
ここにおいて、前記少なくとも１つのプロセッサは、
第１の基地局によってサービスされるユーザ機器（ＵＥ）のために構成された複数のデータベアラを識別することと、
第２の基地局を識別する測定報告を前記ＵＥから受信することと、
前記第２の基地局に、前記複数のデータベアラのうちの少なくとも１つのデータベアラをオフロードすることを判断することと、
前記第１の基地局が、前記第２の基地局に前記少なくとも１つのデータベアラをオフロードするために前記第２の基地局と通信することと、ここにおいて、前記ＵＥのためのデータが、前記第１の基地局および前記第２の基地局を通して前記複数のデータベアラを介して送られる、
前記第１の基地局から前記第２の基地局に前記少なくとも１つのデータベアラのためのデータをフォワーディングすることと
を行うように構成された、装置。
【請求項５２】
前記第２の基地局から１つまたは複数のデータベアラの処理を変更することを判断することと、前記１つまたは複数のデータベアラが、前記第２の基地局にオフロードされた前記少なくとも１つのデータベアラのうちにある、
前記第１の基地局が、前記第２の基地局から前記１つまたは複数のデータベアラの処理を変更するために前記第２の基地局と通信することと
を行うための前記少なくとも１つのプロセッサの構成をさらに備え、
ここにおいて、前記ＵＥの前記１つまたは複数のデータベアラのためのデータが別の基地局を介して送られる、
請求項５１に記載の装置。
【請求項５３】
ワイヤレス通信のために構成された装置であって、前記装置が、
少なくとも１つのプロセッサと、
前記少なくとも１つのプロセッサに結合されたメモリと
を備え、
ここにおいて、前記少なくとも１つのプロセッサは、
第１の基地局によってサービスされるユーザ機器（ＵＥ）のために構成された複数のデータベアラを識別することと、
第２の基地局を識別する測定報告を前記ＵＥから受信することと、
前記第２の基地局に、前記複数のデータベアラのうちの少なくとも１つのデータベアラをオフロードすることを判断することと、
前記第１の基地局が、前記第２の基地局に前記少なくとも１つのデータベアラをオフロードするために前記第２の基地局と通信することと、
前記第２の基地局にオフロードされている前記少なくとも１つのデータベアラを搬送するためにモビリティ管理エンティティ（ＭＭＥ）と通信することと、ここにおいて、前記ＵＥのためのデータが、前記第１の基地局および前記第２の基地局を通して前記複数のデータベアラを介して送られる、
を行うように構成された、装置。
【請求項５４】
前記第２の基地局から１つまたは複数のデータベアラを処理することを変更することを判断することと、前記１つまたは複数のデータベアラが、前記第２の基地局にオフロードされた前記少なくとも１つのデータベアラのうちにある、
前記第１の基地局が、前記第２の基地局から前記１つまたは複数のデータベアラの処理を変更するために前記第２の基地局と通信することと
を行うための前記少なくとも１つのプロセッサの構成をさらに備え、
ここにおいて、前記ＵＥの前記１つまたは複数のデータベアラのためのデータが別の基地局を介して送られる、
請求項５３に記載の装置。
【請求項５５】
ワイヤレス通信のために構成された装置であって、前記装置が、
少なくとも１つのプロセッサと、
前記少なくとも１つのプロセッサに結合されたメモリと
を備え、
ここにおいて、前記少なくとも１つのプロセッサは、
第１の基地局から第２の基地局に送られたオフロード要求メッセージを受信することと、前記オフロード要求メッセージが、前記第２の基地局にオフロードするために少なくとも１つのデータベアラを搬送し、前記少なくとも１つのデータベアラが、ユーザ機器（ＵＥ）のために構成された複数のデータベアラのうちにある、
前記第２の基地局において前記ＵＥの前記少なくとも１つのデータベアラを承認することと、
前記第２の基地局において、前記第１の基地局から前記少なくとも１つのデータベアラのためのデータを受信することと、
前記第２の基地局を介して前記ＵＥの前記少なくとも１つのデータベアラのための前記データを交換することと
を行うように構成された、装置。
【請求項５６】
ワイヤレス通信のために構成された装置であって、前記装置が、
少なくとも１つのプロセッサと、
前記少なくとも１つのプロセッサに結合されたメモリと
を備え、
ここにおいて、前記少なくとも１つのプロセッサは、
第１の基地局によってユーザ機器（ＵＥ）に送られた第１の再構成メッセージを受信することと、前記第１の再構成メッセージが、前記第１の基地局から第２の基地局にオフロードされている少なくとも１つのデータベアラに関連する少なくとも１つの無線アクセスベアラについての第１の無線リソース構成情報を含む、
前記第１の再構成メッセージに応答して前記第２の基地局にアクセスすることと、
前記第２の基地局を介して前記ＵＥの前記少なくとも１つのデータベアラのためのデータを交換することと
を行うように構成された、装置。
【発明の詳細な説明】
【関連出願】
【０００１】
関連出願の相互参照
[0001]  本出願は、２０１２年７月５日に出願された「AGGREGATION OF DATA BEARERS FOR CARRIER AGGREGATION」と題する米国仮特許出願第６１／６６８，３１３号、および２０１３年４月１２日に出願された「PACKET-LEVEL SPLITTING FOR DATA TRANSMISSION VIA MULTIPLE CARRIERS」と題する米国仮特許出願第６１／８１１，６３７号の利益を主張するもので、全体が参照により本明細書に明確に組み込まれる。
【技術分野】
【０００２】
[0002]  本開示は、一般にワイヤレス通信ネットワークにおけるデータ送信に関する。
【背景技術】
【０００３】
[0003]  ワイヤレス通信ネットワークは、音声、ビデオ、パケットデータ、メッセージング、ブロードキャストなどの様々な通信コンテンツを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]  ワイヤレス通信ネットワークは、いくつかのユーザ機器（ＵＥ：user equipment）のための通信をサポートできるいくつかの基地局を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]  ワイヤレス通信ネットワークは、複数のキャリア上での動作をサポートし得る。キャリアは、通信のために使用される周波数のレンジを指し得、いくつかの特性に関連付けられ得る。例えば、キャリアは、そのキャリア上での動作を記述するシステム情報に関連付けられ得る。キャリアは、コンポーネントキャリア（ＣＣ）、周波数チャネル、セルなどと呼ばれることもある。基地局は、キャリアアグリゲーションのために複数のキャリア上でデータおよび／または制御情報をＵＥに送信し得る。ＵＥは、複数のキャリア上でデータおよび／または制御情報を基地局に送信し得る。
【発明の概要】
【０００６】
[0006]  本開示の一態様では、ワイヤレス通信の方法は、第１の基地局によってサービスされるＵＥのために構成された複数のデータベアラを識別することと、第２の基地局を識別する測定報告をＵＥから受信することと、第２の基地局に、複数のデータベアラのうちの少なくとも１つのデータベアラをオフロードすることを判断することと、第１の基地局が、第２の基地局に少なくとも１つのデータベアラをオフロードする(offload)ために第２の基地局と通信することと、ここにおいて、ＵＥのためのデータが、第１の基地局および第２の基地局を通して複数のデータベアラを介して送られる、第１の基地局から第２の基地局に少なくとも１つのデータベアラのためのデータをフォワーディングする(forwarding)こととを含む。
【０００７】
[0007]  本開示の別の態様では、ワイヤレス通信の方法は、第１の基地局によってサービスされるＵＥのために構成された複数のデータベアラを識別することと、第２の基地局を識別する測定報告をＵＥから受信することと、第２の基地局に、複数のデータベアラのうちの少なくとも１つのデータベアラをオフロードすることを判断することと、第１の基地局が、第２の基地局に少なくとも１つのデータベアラをオフロードするために第２の基地局と通信することと、第２の基地局にオフロードされている少なくとも１つのデータベアラを搬送するためにモビリティ管理エンティティ（ＭＭＥ：Mobility Management Entity）と通信することと、ここにおいて、ＵＥのためのデータが、第１の基地局および第２の基地局を通して複数のデータベアラを介して送られる、を含む。
【０００８】
[0008]  本開示のさらなる態様では、ワイヤレス通信の方法は、第１の基地局から第２の基地局に送られたオフロード要求メッセージを受信することと、オフロード要求メッセージが、第２の基地局にオフロードするために少なくとも１つのデータベアラを搬送し、少なくとも１つのデータベアラが、ＵＥのために構成された複数のデータベアラのうちにある、第２の基地局においてＵＥの少なくとも１つのデータベアラを承認することと、第２の基地局において、第１の基地局から少なくとも１つのデータベアラのためのデータを受信することと、第２の基地局を介してＵＥの少なくとも１つのデータベアラのためのデータを交換することとを含む。
【０００９】
[0009]  本開示のさらなる態様では、ワイヤレス通信の方法は、第１の基地局によってＵＥに送られた第１の再構成メッセージを受信することと、第１の再構成メッセージが、第１の基地局から第２の基地局にオフロードされている少なくとも１つのデータベアラに関連する少なくとも１つの無線アクセスベアラについての第１の無線リソース構成情報を含む、第１の再構成メッセージに応答して第２の基地局にアクセスすることと、第２の基地局を介してＵＥの少なくとも１つのデータベアラのためのデータを交換することとを含む。
【００１０】
[0010]  本開示のさらなる態様では、ワイヤレス通信のために構成された装置は、第１の基地局によってサービスされるＵＥのために構成された複数のデータベアラを識別するための手段と、第２の基地局を識別する測定報告をＵＥから受信するための手段と、第２の基地局に、複数のデータベアラのうちの少なくとも１つのデータベアラをオフロードすることを判断するための手段と、第１の基地局が、第２の基地局に少なくとも１つのデータベアラをオフロードするために第２の基地局と通信するための手段と、ここにおいて、ＵＥのためのデータが、第１の基地局および第２の基地局を通して複数のデータベアラを介して送られる、第１の基地局から第２の基地局に少なくとも１つのデータベアラのためのデータをフォワーディングするための手段とを含む。
【００１１】
[0011]  本開示のさらなる態様では、ワイヤレス通信のために構成された装置は、第１の基地局によってサービスされるＵＥのために構成された複数のデータベアラを識別するための手段と、第２の基地局を識別する測定報告をＵＥから受信するための手段と、第２の基地局に、複数のデータベアラのうちの少なくとも１つのデータベアラをオフロードすることを判断するための手段と、第１の基地局が、第２の基地局に少なくとも１つのデータベアラをオフロードするために第２の基地局と通信するための手段と、第２の基地局にオフロードされている少なくとも１つのデータベアラを搬送するためにモビリティ管理エンティティ（ＭＭＥ）と通信するための手段と、ここにおいて、ＵＥのためのデータが、第１の基地局および第２の基地局を通して複数のデータベアラを介して送られる、を含む。
【００１２】
[0012]  本開示のさらなる態様では、ワイヤレス通信のために構成された装置は、第１の基地局から第２の基地局に送られたオフロード要求メッセージを受信するための手段と、オフロード要求メッセージが、第２の基地局にオフロードするために少なくとも１つのデータベアラを搬送し、少なくとも１つのデータベアラが、ＵＥのために構成された複数のデータベアラのうちにある、第２の基地局においてＵＥの少なくとも１つのデータベアラを承認するための手段と、第２の基地局において、第１の基地局から少なくとも１つのデータベアラのためのデータを受信するための手段と、第２の基地局を介してＵＥの少なくとも１つのデータベアラのためのデータを交換するための手段とを含む。
【００１３】
[0013]  本開示のさらなる態様では、ワイヤレス通信のために構成された装置は、第１の基地局によってＵＥに送られた第１の再構成メッセージを受信するための手段と、第１の再構成メッセージが、第１の基地局から第２の基地局にオフロードされている少なくとも１つのデータベアラに関連する少なくとも１つの無線アクセスベアラについての第１の無線リソース構成情報を含む、第１の再構成メッセージに応答して第２の基地局にアクセスするための手段と、第２の基地局を介してＵＥの少なくとも１つのデータベアラのためのデータを交換するための手段とを含む。
【００１４】
[0014]  本開示のさらなる態様では、ワイヤレスネットワークにおけるワイヤレス通信のためのコンピュータプログラム製品が、プログラムコードを記録した非一時的コンピュータ可読媒体を含む。プログラムコードは、第１の基地局によってサービスされるＵＥのために構成された複数のデータベアラを識別することをコンピュータに行わせるためのコードと、第２の基地局を識別する測定報告をＵＥから受信することをコンピュータに行わせるためのコードと、第２の基地局に、複数のデータベアラのうちの少なくとも１つのデータベアラをオフロードすることを判断することをコンピュータに行わせるためのコードと、第１の基地局が、第２の基地局に少なくとも１つのデータベアラをオフロードするために第２の基地局と通信することをコンピュータに行わせるためのコードと、ここにおいて、ＵＥのためのデータが、第１の基地局および第２の基地局を通して複数のデータベアラを介して送られる、第１の基地局から第２の基地局に少なくとも１つのデータベアラのためのデータをフォワーディングすることをコンピュータに行わせるためのコードとを含む。
【００１５】
[0015]  本開示のさらなる態様では、ワイヤレスネットワークにおけるワイヤレス通信のためのコンピュータプログラム製品が、プログラムコードを記録した非一時的コンピュータ可読媒体を含む。プログラムコードは、第１の基地局によってサービスされるＵＥのために構成された複数のデータベアラを識別することをコンピュータに行わせるためと、第２の基地局を識別する測定報告をＵＥから受信することをコンピュータに行わせるためのコードと、第２の基地局に、複数のデータベアラのうちの少なくとも１つのデータベアラをオフロードすることを判断することをコンピュータに行わせるためのコードと、第１の基地局が、第２の基地局に少なくとも１つのデータベアラをオフロードするために第２の基地局と通信することをコンピュータに行わせるためのコードと、第２の基地局にオフロードされている少なくとも１つのデータベアラを搬送するためにモビリティ管理エンティティ（ＭＭＥ）と通信することをコンピュータに行わせるためのコードと、ここにおいて、ＵＥのためのデータが、第１の基地局および第２の基地局を通して複数のデータベアラを介して送られる、を含む。
【００１６】
[0016]  本開示のさらなる態様では、ワイヤレスネットワークにおけるワイヤレス通信のためのコンピュータプログラム製品が、プログラムコードを記録した非一時的コンピュータ可読媒体を含む。プログラムコードは、第１の基地局から第２の基地局に送られたオフロード要求メッセージを受信することをコンピュータに行わせるためのコードと、オフロード要求メッセージが、第２の基地局にオフロードするために少なくとも１つのデータベアラを搬送し、少なくとも１つのデータベアラが、ＵＥのために構成された複数のデータベアラのうちにある、第２の基地局においてＵＥの少なくとも１つのデータベアラを承認することをコンピュータに行わせるためのコードと、第２の基地局において、第１の基地局から少なくとも１つのデータベアラのためのデータを受信することをコンピュータに行わせるためのコードと、第２の基地局を介してＵＥの少なくとも１つのデータベアラのためのデータを交換することをコンピュータに行わせるためのコードとを含む。
【００１７】
[0017]  本開示のさらなる態様では、ワイヤレスネットワークにおけるワイヤレス通信のためのコンピュータプログラム製品が、プログラムコードを記録した非一時的コンピュータ可読媒体を含む。プログラムコードは、第１の基地局によってＵＥに送られた第１の再構成メッセージを受信することをコンピュータに行わせるためのコードと、第１の再構成メッセージが、第１の基地局から第２の基地局にオフロードされている少なくとも１つのデータベアラに関連する少なくとも１つの無線アクセスベアラについての第１の無線リソース構成情報を含む、第１の再構成メッセージに応答して第２の基地局にアクセスすることをコンピュータに行わせるためのコードと、第２の基地局を介してＵＥの少なくとも１つのデータベアラのためのデータを交換することをコンピュータに行わせるためのコードとを含む。
【００１８】
[0018]  本開示のさらなる態様では、ワイヤレス通信のために構成された装置が、少なくとも１つのプロセッサと、プロセッサに結合されたメモリとを含む。プロセッサは、第１の基地局によってサービスされるＵＥのために構成された複数のデータベアラを識別することと、第２の基地局を識別する測定報告をＵＥから受信することと、第２の基地局に、複数のデータベアラのうちの少なくとも１つのデータベアラをオフロードすることを判断することと、第１の基地局が、第２の基地局に少なくとも１つのデータベアラをオフロードするために第２の基地局と通信することと、ここにおいて、ＵＥのためのデータが、第１の基地局および第２の基地局を通して複数のデータベアラを介して送られる、第１の基地局から第２の基地局に少なくとも１つのデータベアラのためのデータをフォワーディングすることとを行うように構成される。
【００１９】
[0019]  本開示のさらなる態様では、ワイヤレス通信のために構成された装置が、少なくとも１つのプロセッサと、プロセッサに結合されたメモリとを含む。プロセッサは、第１の基地局によってサービスされるＵＥのために構成された複数のデータベアラを識別することと、第２の基地局を識別する測定報告をＵＥから受信することと、第２の基地局に、複数のデータベアラのうちの少なくとも１つのデータベアラをオフロードすることを判断することと、第１の基地局が、第２の基地局に少なくとも１つのデータベアラをオフロードするために第２の基地局と通信することと、第２の基地局にオフロードされている少なくとも１つのデータベアラを搬送するためにモビリティ管理エンティティ（ＭＭＥ）と通信することと、ここにおいて、ＵＥのためのデータが、第１の基地局および第２の基地局を通して複数のデータベアラを介して送られる、を行うように構成される。
【００２０】
[0020]  本開示のさらなる態様では、ワイヤレス通信のために構成された装置が、少なくとも１つのプロセッサと、プロセッサに結合されたメモリとを含む。プロセッサは、第１の基地局から第２の基地局に送られたオフロード要求メッセージを受信することと、オフロード要求メッセージが、第２の基地局にオフロードするために少なくとも１つのデータベアラを搬送し、少なくとも１つのデータベアラが、ＵＥのために構成された複数のデータベアラのうちにある、第２の基地局においてＵＥの少なくとも１つのデータベアラを承認することと、第２の基地局において、第１の基地局から少なくとも１つのデータベアラのためのデータを受信することと、第２の基地局を介してＵＥの少なくとも１つのデータベアラのためのデータを交換することとを行うように構成される。
【００２１】
[0021]  本開示のさらなる態様では、ワイヤレス通信のために構成された装置が、少なくとも１つのプロセッサと、プロセッサに結合されたメモリとを含む。プロセッサは、第１の基地局によってＵＥに送られた第１の再構成メッセージを受信することと、第１の再構成メッセージが、第１の基地局から第２の基地局にオフロードされている少なくとも１つのデータベアラに関連する少なくとも１つの無線アクセスベアラについての第１の無線リソース構成情報を含む、第１の再構成メッセージに応答して第２の基地局にアクセスすることと、第２の基地局を介してＵＥの少なくとも１つのデータベアラのためのデータを交換することとを行うように構成される。
【図面の簡単な説明】
【００２２】
【図１】ＬＴＥネットワークまたは何らかの他のワイヤレスネットワークであり得る、ワイヤレス通信ネットワークを示すブロック図。
【図２】データベアラがコアネットワークにおいて終端する場合のベアラレベルスプリッティングの例示的な設計を示すブロック図。
【図３】図２に示されたネットワークアーキテクチャに基づく、ＵＥとＰＤＮゲートウェイとの間の通信のためのユーザプレーンの例示的なプロトコルスタックを示すブロック図。
【図４】データベアラがＲＡＮにおいて終端する場合のベアラレベルプリッティングの例示的な設計を示すブロック図。
【図５】図４に示されたネットワークアーキテクチャに基づく、異なるｅＮＢを介したＵＥとＰＤＮゲートウェイとの間の通信のためのユーザプレーンの例示的なプロトコルスタックを示すブロック図。
【図６】データベアラがＲＡＮにおいて終端する場合のベアラレベルプリッティングの例示的な設計を示すブロック図。
【図７】図６に示されたネットワークアーキテクチャに基づく、異なるｅＮＢを介したＵＥとＰＤＮゲートウェイ４８との間の通信のためのユーザプレーンの例示的なプロトコルスタックを示すブロック図。
【図８】コアネットワークにおける別個のデータ接続の場合のベアラレベルスプリッティングのブロック図例示的な設計。
【図９】知られている物理セル識別情報（ＰＣＩ：physical cell identity）とセルグローバル識別情報（ＣＧＩ：cell global identity）とのマッピングを用いたブースタｅＮＢを識別するための測定プロシージャのためのコールフローを示すコールフロー図。
【図１０】未知の(unknown)ＰＣＩとＣＧＩとのマッピングを用いたブースタｅＮＢを識別するための測定プロシージャのためのコールフローを示すコールフロー図。
【図１１】ＲＡＮにおいて終了されるデータベアラについてのアンカーｅＮＢからブースタｅＮＢにデータベアラをオフロードするためのコールフローの設計を示すコールフロー図。
【図１２】コアネットワークにおいて終端されるデータベアラについてのアンカーｅＮＢからブースタｅＮＢにデータベアラをオフロードするためのコールフローの設計を示すコールフロー図。
【図１３】ＲＡＮにおいて終端されるデータベアラについてのアンカーｅＮＢによってデータベアラをブースタｅＮＢからテイクバックするためのコールフローの設計を示すコールフロー図。
【図１４】コアネットワークにおいて終端されるデータベアラについてのアンカーｅＮＢによってデータベアラをブースタｅＮＢからテイクバックするためのコールフローの設計を示すコールフロー図。
【図１５】ＲＡＮにおいて終端されるデータベアラについてのブースタｅＮＢにおいてデータベアラを追加するかまたは除去するためのコールフローの設計を示すコールフロー図。
【図１６】コアネットワークにおいて終端されるデータベアラについてのブースタｅＮＢにおいてデータベアラを追加するかまたは除去するためのコールフローの設計を示すコールフロー図。
【図１７】本開示の態様を実装するために実行される例示的なブロックを示す機能ブロック図。
【図１８】本開示の態様を実装するために実行される例示的なブロックを示す機能ブロック図。
【図１９】本開示の態様を実装するために実行される例示的なブロックを示す機能ブロック図。
【図２０】図１に示されたＵＥおよびｅＮＢ／基地局の例示的な設計を示すブロック図。
【発明を実施するための形態】
【００２３】
詳細な説明
[0040]  ワイヤレス通信ネットワークにおけるキャリアアグリゲーションのための複数のキャリアを介した通信をサポートするための技法を本明細書で開示する。これらの技法は、ＣＤＭＡ、ＴＤＭＡ、ＦＤＭＡ、ＯＦＤＭＡ、ＳＣ−ＦＤＭＡおよび他のワイヤレスネットワークなど、様々なワイヤレス通信ネットワークに使用され得る。「ネットワーク」および「システム」という用語は、しばしば互換的に使用される。ＣＤＭＡネットワークは、ユニバーサル地上波無線アクセス（ＵＴＲＡ：Universal Terrestrial Radio Access）、ｃｄｍａ２０００などの無線技術を実装し得る。ＵＴＲＡは、広帯域ＣＤＭＡ（ＷＣＤＭＡ（登録商標））、時分割同期ＣＤＭＡ（ＴＤ−ＳＣＤＭＡ）、およびＣＤＭＡの他の変形態を含む。ｃｄｍａ２０００は、ＩＳ−２０００、ＩＳ−９５およびＩＳ−８５６規格を含む。ＴＤＭＡネットワークは、モバイル通信用グローバルシステム（ＧＳＭ（登録商標）：Global System for Mobile Communications）などの無線技術を実装し得る。ＯＦＤＭＡネットワークは、発展型ＵＴＲＡ（Ｅ−ＵＴＲＡ：Evolved UTRA）、ウルトラモバイルブロードバンド（ＵＭＢ：Ultra Mobile Broadband）、ＩＥＥＥ８０２．１１（Ｗｉ−Ｆｉ（登録商標）およびＷｉ−Ｆｉ  Ｄｉｒｅｃｔ）、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡ、Ｅ−ＵＴＲＡ、およびＧＳＭは、ユニバーサルモバイルテレコミュニケーションシステム（ＵＭＴＳ：Universal Mobile Telecommunication System）の一部である。周波数分割複信（ＦＤＤ）と時分割複信（ＴＤＤ）の両方における３ＧＰＰロングタームエボリューション（ＬＴＥ：Long Term Evolution）およびＬＴＥアドバンスト（ＬＴＥ−Ａ：LTE-Advanced）は、ダウンリンク上ではＯＦＤＭＡを利用し、アップリンク上ではＳＣ−ＦＤＭＡを利用するＥ−ＵＴＲＡを使用するＵＭＴＳの最近のリリースである。ＵＴＲＡ、Ｅ−ＵＴＲＡ、ＧＳＭ、ＵＭＴＳ、ＬＴＥおよびＬＴＥ−Ａは、「第３世代パートナーシッププロジェクト」（３
ＧＰＰ：3rd Generation Partnership Project）と称する団体からの文書に記載されている。ｃｄｍａ２０００およびＵＭＢは、「第３世代パートナーシッププロジェクト２」（３ＧＰＰ２：3rd Generation Partnership Project 2）と称する団体からの文書に記載されている。本明細書で説明する技法は、上記のワイヤレスネットワークおよび無線技術、ならびに他のワイヤレスネットワークおよび無線技術に使用され得る。明快のために、本技法のいくつかの態様について以下ではＬＴＥに関して説明し、以下の説明の大部分でＬＴＥ用語を使用する。
【００２４】
[0041]  図１に、ＬＴＥネットワークまたは何らかの他のワイヤレスネットワークであり得る、ワイヤレス通信ネットワーク１００を示す。ワイヤレスネットワーク１００は、無線通信をサポートする無線アクセスネットワーク（ＲＡＮ）１２０と、データ通信および／または他のサービスをサポートするコアネットワーク（ＣＮ）１４０とを含み得る。ＲＡＮ１２０は発展型ユニバーサル地上波無線アクセスネットワーク（Ｅ−ＵＴＲＡＮ）と呼ばれることもある。
【００２５】
[0042]  ＲＡＮ１２０は、ＵＥのための無線通信をサポートするいくつかの発展型ノードＢ（ｅＮＢ）を含み得る。簡単のために、図１には、２つのｅＮＢ１３０およびｅＮＢ１３２のみが示されている。ｅＮＢは、ＵＥと通信するエンティティであり得、ノードＢ、基地局、アクセスポイントなどと呼ばれることもある。各ｅＮＢは、特定の地理的エリアに対して通信カバレージを提供し得、カバレージエリア内に位置するＵＥのための無線通信をサポートし得る。ネットワーク容量を改善するために、ｅＮＢの全体的なカバレージエリアは複数（例えば、３つ）のより小さいエリアに区分され得る。より小さいエリアの各々は、該当のｅＮＢサブシステムによってサービスされ得る。３ＧＰＰでは、「セル」という用語は、このカバレージエリアにサービスするｅＮＢおよび／またはｅＮＢサブシステムのカバレージエリアを指すことができる。ＲＡＮ１２０はまた、簡単のために図１に示されていない他のネットワークエンティティを含み得る。
【００２６】
[0043]  コアネットワーク１４０は、モビリティ管理エンティティ（ＭＭＥ）１４２と、ホーム加入者サーバ（ＨＳＳ）１４４と、サービングゲートウェイ（ＳＧＷ）１４６と、パケットデータネットワーク（ＰＤＮ）ゲートウェイ（ＰＧＷ）１４８とを含み得る。コアネットワーク１４０はまた、簡単のために図１に示されていない他のネットワークエンティティを含み得る。
【００２７】
[0044]  ＭＭＥ１４２は、非アクセス層（ＮＡＳ：Non Access Stratum）のためのシグナリングおよびセキュリティの制御、ＵＥの認証およびモビリティ管理、ＵＥのためのゲートウェイの選択、ベアラ管理機能などの様々な機能を行い得る。ＨＳＳ１４４は、ユーザについての加入関係情報（例えば、ユーザプロファイル）およびロケーション情報を記憶し、ユーザの認証および許可を行い、要求されたときユーザロケーションおよびルーティング情報に関する情報を与え得る。
【００２８】
[0045]  サービングゲートウェイ１４６は、データルーティングおよびフォワーディング、モビリティアンカリングなど、ＵＥのためのインターネットプロトコル（ＩＰ）データ転送に関係する様々な機能を行い得る。サービングゲートウェイ１４６はまた、ＲＡＮ１２０へのインターフェースを終端し得、ｅＮＢ間のハンドオーバのサポート、ＵＥのためのデータのバッファリング、ルーティングおよびフォワーディング、ネットワークトリガ型サービス要求プロシージャの開始、課金のためのアカウンティング機能などの様々な機能を行い得る。
【００２９】
[0046]  ＰＤＮゲートウェイ１４８は、ＵＥのためのデータ接続性の維持、ＩＰアドレス割振り、ＵＥのためのパケットフィルタリング、サービスレベルゲート制御およびレート強制、クライアントおよびサーバのための動的ホスト構成プロトコル（ＤＨＣＰ：dynamic host configuration protocol）機能、ゲートウェイＧＰＲＳサポートノード（ＧＧＳＮ：gateway GPRS support node）機能などの様々な機能を行い得る。ＰＤＮゲートウェイ１４８はまた、インターネット、ネットワーク事業者のパケットデータネットワークなどであり得る、パケットデータネットワーク１９０へのＳＧｉインターフェースを終端し得る。ＳＧｉは、データサービスのプロビジョンのためのＰＤＮゲートウェイとパケットデータネットワークとの間の基準点である。
【００３０】
[0047]  図１に、ＲＡＮ１２０およびコアネットワーク１４０中の様々なネットワークエンティティ間の例示的なインターフェースをも示す。ｅＮＢ１３０およびｅＮＢ１３２は、Ｘ２インターフェースを介して互いに通信し得る。ｅＮＢ１３０およびｅＮＢ１３２は、Ｓ１−ＭＭＥインターフェースを介してＭＭＥ１４２と通信し、Ｓ１−Ｕインターフェースを介してサービングゲートウェイ１４６と通信し得る。ＭＭＥ１４２は、Ｓ６ａインターフェースを介してＨＳＳ１４４と通信し得、Ｓ１１インターフェースを介してサービングゲートウェイ１４６と通信し得る。サービングゲートウェイ１４６は、Ｓ５インターフェースを介してＰＤＮゲートウェイ１４８と通信し得る。
【００３１】
[0048]  ＲＡＮ１２０およびコアネットワーク１４０中の様々なネットワークエンティティならびにネットワークエンティティ間のインターフェースは、「Evolved Universal Terrestrial Radio Access (E-UTRA) and Evolved Universal Terrestrial Radio Access Network (E-UTRAN); Overall description」と題する３ＧＰＰ  ＴＳ  ３６．３００、および「General Packet Radio Service (GPRS) enhancements for Evolved Universal Terrestrial Radio Access Network (E-UTRAN) access」と題する３ＧＰＰ  ＴＳ  ２３．４０１に記載されている。これらの文書は３ＧＰＰから公的に入手可能である。
【００３２】
[0049]  ＵＥ１１０は、無線通信のための所与の瞬間において１つまたは複数のｅＮＢと通信し得る。ＵＥ１１０は、固定でも移動でもよく、移動局、端末、アクセス端末、加入者ユニット、局などと呼ばれることもある。ＵＥ１１０は、セルラーフォン、スマートフォン、タブレット、ワイヤレス通信デバイス、携帯情報端末（ＰＤＡ）、ワイヤレスモデム、ハンドヘルドデバイス、ラップトップコンピュータ、コードレスフォン、ワイヤレスローカルループ（ＷＬＬ）局、ネットブック、スマートブックなどであり得る。
【００３３】
[0050]  ワイヤレスネットワーク１００は、キャリアアグリゲーションまたはマルチキャリア動作と呼ばれることがある、複数のキャリア上での動作をサポートし得る。ＵＥ１１０は、キャリアアグリゲーションのための、ダウンリンクのための複数のキャリアとアップリンクのための１つまたは複数のキャリアとで構成され得る。１つまたは複数のｅＮＢは、１つまたは複数のキャリア上でデータおよび／または制御情報をＵＥ１１０に送信し得る。ＵＥ１１０は、１つまたは複数のキャリア上でデータおよび／または制御情報を１つまたは複数のｅＮＢに送信し得る。
【００３４】
[0051]  ワイヤレスネットワーク１００は、ユーザプレーン(user plane)および制御プレーン(control plane)を介した通信をサポートし得る。ユーザプレーンは、上位レイヤアプリケーションのためのデータを搬送し、ユーザプレーンベアラを採用するための機構であり、一般に、ユーザデータグラムプロトコル（ＵＤＰ）、伝送制御プロトコル（ＴＣＰ）、およびインターネットプロトコル（ＩＰ）など、標準プロトコルを用いて実装される。制御プレーンは、データ（例えば、シグナリング）を搬送するための機構であり、一般に、ネットワーク固有のプロトコル、インターフェース、ならびに非アクセス層（ＮＡＳ）メッセージおよび無線リソース制御（ＲＲＣ）メッセージなどのシグナリングメッセージを用いて実装される。例えば、トラフィック／パケットデータは、ユーザプレーンを介してＵＥ１１０とワイヤレスネットワーク１００との間で送られ得る。ＵＥ１１０のための通信をサポートするための様々なプロシージャのためのシグナリングが、制御プレーンを介して送られ得る。
【００３５】
[0052]  ＵＥ１１０は、キャリアアグリゲーションを用いたデータ通信のための複数のデータベアラで構成され得る。ベアラは、例えば、容量、遅延、ビット誤り率など、定義された特徴の情報送信経路を指し得る。データベアラは、データを交換するためのベアラであり、ＵＥとＵＥのためのデータをルーティングするために指定されたネットワークエンティティ（例えば、ＰＤＮゲートウェイ）とにおいて終端し得る。データベアラは、ＬＴＥにおける発展型パケットシステム（ＥＰＳ）ベアラなどと呼ばれることもある。データベアラは、ＵＥ１１０が指定されたネットワークエンティティ（例えば、ＰＤＮゲートウェイ）に接続するときに確立され得、ＵＥ１１０に常時オンＩＰ接続性を与えるために接続の存続期間全体にわたって確立されたままであり得る。このデータベアラはデフォルトデータベアラと呼ばれることがある。１つまたは複数の追加のデータベアラが、同じネットワークエンティティ（例えば、同じＰＤＮゲートウェイ）に対して確立され得、（１つまたは複数の）専用データベアラと呼ばれることがある。各追加のデータベアラは、（ｉ）データベアラを介して送られるパケットをフィルタ処理するために使用される、１つまたは複数のトラフィックフローテンプレート（ＴＦＴ）、（ｉｉ）ＵＥと指定されたネットワークエンティティとの間のデータ転送のためのサービス品質（ＱｏＳ）パラメータ、（ｉｉｉ）スケジューリングポリシー、キュー管理ポリシー、レートシェーピングポリシー、無線リンク制御（ＲＬＣ）構成などに関係するパケットフォワーディング処理、および／または（ｉｖ）他の特徴などの様々な特徴に関連付けられ得る。例えば、ＵＥ１１０は、ボイスオーバーＩＰ（ＶｏＩＰ）呼のためのデータの転送のための１つのデータベアラ、インターネットダウンロードトラフィックのための別のデータベアラなどで構成され得る。要約すれば、デフォルトデータベアラは、各新しいデータ接続（例えば、各新しいＰＤＮ接続）を用いて確立され得、それのコンテキストは、データ接続の存続期間全体にわたって確立されたままであり得る。デフォルトデータベアラは非保証型ビットレート（ＧＢＲ）ベアラであり得る。専用データベアラは、ＵＥにおけるアップリンクパケットフィルタに関連付けられ、指定されたネットワーク（例えば、ＰＤＮゲートウェイ）におけるダウンリンクパケットフィルタに関連付けられ得、ここで、フィルタはいくつかのパケットのみに一致し得る。各データベアラは無線ベアラに対応し得る。デフォルトデータベアラは、一般に、ベストエフォートであり得、専用データベアラのうちのいずれのパケットフィルタにも一致しないＩＰアドレスのための全てのパケットを搬送し得る。専用データベアラは、一般に、（例えば、パケットフィルタに基づいて）特定のタイプのトラフィックに関連付けられ得、あるＱｏＳに関連付けられ得る。
【００３６】
[0053]  本開示の一態様では、複数のデータベアラがキャリアアグリゲーションのためにＵＥ１１０のために構成され得、複数のｅＮＢ間でスプリットされ得、これはベアラレベルスプリッティングと呼ばれることがある。ｅＮＢは、チャネル状態、負荷などの様々な基準に基づいて、ＵＥ１１０の複数のデータベアラをサービスするために選択され得る。１つの設計では、ＵＥ１１０の各データベアラをサービスするために特定のｅＮＢが選択され得るように、データベアラごとにＵＥ１１０のデータベアラをサービスするために、ｅＮＢが選択され得る。ＵＥ１１０のための各データパケットは、各データベアラに関連するＴＦＴに基づいて適切なデータベアラを介して送られ得る。ベアラレベルスプリッティングは、様々な形式で、様々なネットワークアーキテクチャを用いてサポートされ得る。
【００３７】
[0054]  図２に、データベアラがコアネットワーク１４０において終端する場合のベアラレベルスプリッティングの例示的な設計を示す。ＵＥ１１０は、キャリアアグリゲーションのための複数のｅＮＢ１３０およびｅＮＢ１３２と通信し得る。ｅＮＢ１３０はＵＥ１１０のためのアンカーｅＮＢであり得、ｅＮＢ１３２はＵＥ１１０のためのブースタｅＮＢであり得る。アンカーｅＮＢは、ＵＥのための通信を制御するために指定されたｅＮＢであり得る。アンカーｅＮＢは、サービングｅＮＢ、１次ｅＮＢ、主ｅＮＢなどと呼ばれることもある。ブースタｅＮＢは、ＵＥとデータを交換するために、例えば、ＵＥにデータを送信するためおよび／またはそれからデータを受信するために選択されたｅＮＢであり得る。ブースタｅＮＢは、２次ｅＮＢ、補足ｅＮＢなどと呼ばれることもある。
【００３８】
[0055]  ＵＥ１１０は、キャリアアグリゲーションのための複数のデータベアラで構成され得る。複数のデータベアラのうちの少なくとも１つがアンカーｅＮＢ１３０によってサービスされ得、複数のデータベアラのうちの残りのデータベアラがブースタｅＮＢ１３２によってサービスされ得る。ＵＥ１１０の各データベアラは、従って、ＵＥ１１０のための１つのｅＮＢによってサービスされ得る。ＭＭＥ１４２は、例えば、データベアラについてのトンネルエンドポイントが、現在、単一のｅＮＢの代わりに異なるｅＮＢにあることを除いて、ＬＴＥリリース８において定義されている方法を使用して、ＵＥ１１０のデータベアラを管理し得、ＵＥ１１０のどのデータベアラがどのｅＮＢによってサービスされるかを判断し得る。ＭＭＥ１４２は、ＵＥ１１０のデータベアラをサービスするｅＮＢを変更するために、影響を受けるネットワークエンティティ（例えば、サービングゲートウェイ１４６）にベアラ変更要求メッセージを送り得る。
【００３９】
[0056]  ダウンリンク上でのデータ送信のために、ＰＤＮゲートウェイ１４８は、ＵＥ１１０を対象とするデータを受信し得、データをＵＥ１１０の異なるデータベアラに分離し得る。ＰＤＮゲートウェイ１４８は、サービングゲートウェイ１４６にＵＥ１１０のためのデータをフォワーディングし得、サービングゲートウェイ１４６は、ＭＭＥ１４２からのベアラ変更要求メッセージに基づいて適切なｅＮＢにデータをフォワーディングし得る。
【００４０】
[0057]  アップリンク上でのデータ送信のために、各ｅＮＢは、ＵＥ１１０からデータを受信し得、適切なデータベアラを介してサービングゲートウェイ１４６にデータをフォワーディングし得る。サービングゲートウェイ１４６は、ＰＤＮゲートウェイ１４８にＵＥ１１０の全てのデータベアラのためのデータをフォワーディングし得る。
【００４１】
[0058]  データベアラがコアネットワーク１４０において終端するベアラレベルスプリッティングの場合、サービングゲートウェイ１４６またはＰＤＮゲートウェイ１４８への変更は必要とされ得ない。ＭＭＥ１４２は、ＵＥ１１０のデータベアラの一部分のみに影響を及ぼし得る新しいタイプの経路切替え要求（例えば、ベアラ切替え要求）のために変更され得る。
【００４２】
[0059]  図３に、図２に示されたネットワークアーキテクチャに基づく、ＵＥ１１０とＰＤＮゲートウェイ１４８との間の通信のためのユーザプレーンの例示的なプロトコルスタックを示す。ＵＥ１１０は、ＩＰを介してＰＤＮゲートウェイ１４８とデータを交換（例えば、送信および／または受信）し得る。ＵＥ１１０において、ＩＰは、（ｉ）レイヤ２（Ｌ２）におけるパケットデータコンバージェンスプロトコル（ＰＤＣＰ）、無線リンク制御（ＲＬＣ）、および媒体アクセス制御（ＭＡＣ）ならびに（ｉｉ）物理レイヤ（ＰＨＹ）／レイヤ１（Ｌ１）におけるＥ−ＵＴＲＡエアリンク上で動作し得る。ブースタｅＮＢ１３２は、ユーザプレーン用ＧＰＲＳトンネリングプロトコル（ＧＴＰ−Ｕ：GPRS Tunneling Protocol for User Plane）、ＵＤＰ、ＩＰ、Ｌ２およびＬ１を介してサービングゲートウェイ１４６と通信し得る。
【００４３】
[0060]  図３におけるブースタｅＮＢ１３２を介したＵＥ１１０のためのユーザプレーンは、ＬＴＥリリース８における従来のｅＮＢを介したＵＥ１１０のためのユーザプレーンと同様であり得る。アンカーｅＮＢ１３０を介したＵＥ１１０のためのユーザプレーンは、ブースタｅＮＢ１３２を介したＵＥ１１０のためのユーザプレーンと同様であり得る。
【００４４】
[0061]  図４に、データベアラがＲＡＮ１２０において終端する場合のベアラレベルスプリッティングの例示的な設計を示す。ＵＥ１１０は、キャリアアグリゲーションのための複数のｅＮＢ１３０およびｅＮＢ１３２と通信し得、キャリアアグリゲーションのための複数のデータベアラで構成され得る。複数のデータベアラのうちの少なくとも１つがアンカーｅＮＢ１３０によってサービスされ得、複数のデータベアラのうちの残りのデータベアラがブースタｅＮＢ１３２によってサービスされ得る。アンカーｅＮＢ１３０は、ブースタｅＮＢ１３２を介して送られたＵＥ１１０のデータをアグリゲートするデータプレーンのためのアンカーとして働き得る。１つの設計では、ＰＤＣＰはブースタｅＮＢ１３２において終端し得る。アンカーｅＮＢ１３０とサービングゲートウェイ１４６との間の単一のＳ１インターフェースが、ＵＥ１１０の全てのデータベアラのために使用され得る。ｅＮＢへのデータベアラのマッピングはコアネットワーク１４０から隠され得、コアネットワーク１４０は、ＵＥ１１０の全てのデータベアラがｅＮＢ１３０のみによってサービスされる場合と同様に動作し得る。データベアラがＲＡＮにおいて終端するベアラレベルスプリッティングの場合、ブースタｅＮＢとの間でのモビリティがコアネットワークから隠され得るので、コアネットワーク中のネットワークエンティティについての変更は必要とされ得ない。
【００４５】
[0062]  ダウンリンク上でのデータ送信のために、ＰＤＮゲートウェイ１４８は、ＵＥ１１０を対象とするデータを受信し得、データをＵＥ１１０の異なるデータベアラに分離し得る。ＰＤＮゲートウェイ１４８はサービングゲートウェイ１４６にＵＥ１１０のためのデータをフォワーディングし得、サービングゲートウェイ１４６はアンカーｅＮＢ１３０にデータをフォワーディングし得る。アンカーｅＮＢ１３０は、アンカーｅＮＢ１３０によってサービスされるＵＥ１１０のデータベアラのためのデータと、ブースタｅＮＢ１３２によってサービスされるＵＥ１１０のデータベアラのためのデータとを識別し、分離し得る。アンカーｅＮＢ１３０は、ブースタｅＮＢにブースタｅＮＢ１３２によってサービスされるデータベアラのためのデータをＸ２−Ｕインターフェースを介してフォワーディングし得る。ダウンリンク上でのデータ送信のために、アンカーｅＮＢ１３０によって行われる動作は、ブースタｅＮＢ１３２へのＵＥ１１０のハンドオーバのためにｅＮＢによって行われる動作と同様であり得る。しかしながら、ベアラレベルスプリッティングの場合、アンカーｅＮＢ１３０は、ブースタｅＮＢ１３２におけるＵＥ１１０の接続の持続時間の間、ブースタｅＮＢ１３２にＵＥ１１０のためのデータをフォワーディングし続け得る。
【００４６】
[0063]  アップリンク上でのデータ送信のために、アンカーｅＮＢ１３０は、アンカーｅＮＢ１３０によってサービスされるデータベアラを介してＵＥ１１０によって送られたデータを受信し得る。ブースタｅＮＢ１３２は、ブースタｅＮＢ１３２によってサービスされるデータベアラを介してＵＥ１１０によって送られたデータを受信し得、Ｘ２−Ｕインターフェースを介してアンカーｅＮＢ１３０にデータをフォワーディングし得る。
【００４７】
[0064]  図５に、図４に示されたネットワークアーキテクチャに基づく、ｅＮＢ１３０およびｅＮＢ１３２を介したＵＥ１１０とＰＤＮゲートウェイ１４８との間の通信のためのユーザプレーンの例示的なプロトコルスタックを示す。ＵＥ１１０は、ＩＰを介してデータをＰＤＮゲートウェイ１４８と交換し得る。ＵＥ１１０において、ＩＰは、ＰＤＣＰ、ＲＬＣ、ＭＡＣ、およびＰＨＹ上で動作し得る。ブースタｅＮＢ１３２は、ＧＴＰ−Ｕ、ＵＤＰ、ＩＰ、Ｌ２およびＬ１を介してアンカーｅＮＢ１３０と通信し得る。同様に、アンカーｅＮＢ１３０は、ＧＴＰ−Ｕ、ＵＤＰ、ＩＰ、Ｌ２およびＬ１を介してサービングゲートウェイ１４６と通信し得る。
【００４８】
[0065]  アンカーｅＮＢ１３０を介したＵＥ１１０のためのユーザプレーンは、ＬＴＥリリース８における従来のｅＮＢを介したＵＥ１１０のためのユーザプレーンと同様であり得る、図３におけるブースタｅＮＢ１３２を介したＵＥ１１０のためのユーザプレーンと同様であり得る。アンカーｅＮＢ１３０を介したＵＥ１１０のためのユーザプレーンは、ブースタｅＮＢ１３２を介したＵＥ１１０のためのユーザプレーンと同じであり得る。ダウンリンク上では、ブースタｅＮＢ１３２を介したＵＥ１１０のためのユーザプレーンは、ブースタｅＮＢ１３２にフォワーディングされるアンカーｅＮＢ１３０に送られたデータパケットのための、ＬＴＥリリース８における従来のｅＮＢを介したＵＥ１１０のためのユーザプレーンと同様であり得る。
【００４９】
[0066]  図６に、データベアラがＲＡＮ１２０において終端する場合のベアラレベルスプリッティングの例示的な設計を示す。図６における設計は、ＰＤＣＰが（図４中のブースタｅＮＢ１３２において終端される代わりに）図６中のアンカーｅＮＢ１３０において終端されることを除いて、図４における設計と同様である。ブースタｅＮＢ１３２はＵＥ１１０のためのＰＤＣＰを終端せず、ＵＥ１１０にとって完全なｅＮＢではないので、ブースタｅＮＢ１３２は、ＵＥ１１０に関してセルと見なされ得る。
【００５０】
[0067]  ダウンリンク上でのデータ送信のために、ＰＤＮゲートウェイ１４８は、ＵＥ１１０を対象とするデータを受信し得、データをＵＥ１１０の異なるデータベアラに分離し得る。ＰＤＮゲートウェイ１４８はサービングゲートウェイ１４６にＵＥ１１０のためのデータをフォワーディングし得、サービングゲートウェイ１４６はアンカーｅＮＢ１３０にデータをフォワーディングし得る。アンカーｅＮＢ１３０は、アンカーｅＮＢ１３０によってサービスされるデータベアラのためのデータと、ブースタｅＮＢ１３２によってサービスされるオフロードされたデータベアラのためのデータとを識別し、分離し得る。アンカーｅＮＢ１３０は、ＰＤＣＰのためのオフロードされたデータベアラのためのデータを処理し得、処理されたデータをＸ３−Ｕインターフェースを介してブースタｅＮＢ１３２に送り得る。アップリンク上でのデータ送信のために、ブースタｅＮＢ１３２は、オフロードされたデータベアラ上でＵＥ１１０によって送られたデータを受信し得、データをＸ３−Ｕインターフェースを介してアンカーｅＮＢ１３０にフォワーディングし得る。Ｘ３−Ｕは、アンカーｅＮＢ１３０とブースタｅＮＢ１３２との間の新しいデータプレーンインターフェースであり得、ＧＴＰを介してアップリンクおよびダウンリンク上でＰＤＣＰプロトコルデータユニット（ＰＤＵ）を搬送し得る。
【００５１】
[0068]  データベアラがＲＡＮ１２０において終端し、ＰＤＣＰがアンカーｅＮＢ１３０において終端するベアラレベルスプリッティングの場合、ＵｕインターフェースのためのセキュリティはアンカーｅＮＢ１３０において終端され得る。無線リソース制御（ＲＲＣ）はアンカーｅＮＢ１３０において終端され得る。別のｅＮＢへのＵＥ１１０のハンドオーバの場合、ＰＤＣＰについてのバッファされたデータがアンカーｅＮＢ１３０において利用可能であり得る。
【００５２】
[0069]  図７に、図６に示されたネットワークアーキテクチャに基づく、ｅＮＢ１３０およびｅＮＢ１３２を介したＵＥ１１０とＰＤＮゲートウェイ１４８との間の通信のためのユーザプレーンの例示的なプロトコルスタックを示す。ＵＥ１１０は、ＩＰを介してデータをＰＤＮゲートウェイ１４８と交換し得る。ＵＥ１１０において、ＩＰは、ＰＤＣＰ、ＲＬＣ、ＭＡＣ、およびＰＨＹ上で動作し得る。ＰＤＣＰはアンカーｅＮＢ１３０において終端し得るが、ＲＬＣ、ＭＡＣ、およびＰＨＹはブースタｅＮＢ１３２において終端し得る。ブースタｅＮＢ１３２は、ＧＴＰ−Ｕ、ＩＰ、Ｌ２およびＬ１を介してアンカーｅＮＢ１３０と通信し得る。アンカーｅＮＢ１３０は、ＧＴＰ−Ｕ、ＵＤＰ、ＩＰ、Ｌ２およびＬ１を介してサービングゲートウェイ１４６と通信し得る。アンカーｅＮＢ１３０を介したＵＥ１１０のためのユーザプレーンは、ＬＴＥリリース８における従来のｅＮＢを介したＵＥ１１０のためのユーザプレーンと同様であり得る、図３におけるブースタｅＮＢ１３２を介したＵＥ１１０のためのユーザプレーンと同じであり得る。
【００５３】
[0070]  図８に、コアネットワーク１４０における別個のデータ接続の場合のベアラレベルスプリッティングの例示的な設計を示す。データ接続は、データを交換する２つのエンティティ間のデータ経路である。データ接続はＰＤＮ接続などと呼ばれることもある。データ接続は、データ接続を終端するエンティティにデータを送るために使用されるＩＰアドレスなどの様々な特徴に関連付けられ得る。ＩＰアドレスは、アクセスのタイプのためにＵＥによって要求されたパケットデータネットワーク（ＰＤＮ）に対応し得る。例えば、ＵＥは、インターネット、音声、オペレータサービス、ローカルブレークアウトなどのアクセスのタイプに対応するアクセスポイント名（ＡＰＮ）を要求し得る。その名に基づいて、ＭＭＥは、ＵＥによって要求されたアクセスのタイプを与えることができるＰＤＮを選択し得、次いで、ＴＳ２３．４０１において定義されている一連のプロシージャを通して、ＵＥは、そのＰＤＮに対応するＩＰアドレスを割り当てられ得る。ＰＤＮは、次いで、１つまたは複数の関連するデータベアラを有し得、従って、ＵＥは、そのＰＤＮに関係するトラフィックのためのＱｏＳを行い得る。
【００５４】
[0071]  別個のデータ接続の場合のベアラレベルスプリッティングが、マルチパスＴＣＰをサポートするために使用され得る。ＴＣＰは、一般に、データの順序配信を仮定する。ＵＥが（例えば、ＷＬＡＮインターフェースおよびセルラーのための）複数のＩＰアドレスを使用してパケットを送る場合、（ａ）複数のインターフェースを有するＴＰＣクライアントをサポートすることと、（ｂ）各インターフェース上で別個にパケットロスに対処することとを行うための機構が必要とされる。マルチパスＴＣＰは、ＴＣＰクライアントがＴＣＰサーバに関する複数のＩＰアドレスを有することを可能にする、ＩＥＴＦによって定義されたＴＣＰの方法である。
【００５５】
[0072]  別個のデータ接続の場合のベアラレベルスプリッティングの１つ設計では、各ｅＮＢのＵＥ１１０のデータベアラがＰＤＮゲートウェイ１４８における別個のデータ接続に対応し得る。例えば、アンカーｅＮＢ１３０によってサービスされるＵＥ１１０のデータベアラは、ＵＥ１１０に割り当てられた第１のＩＰアドレスに関連する第１のデータ接続に対応し得、ブースタｅＮＢ１３２によってサービスされるＵＥ１１０のデータベアラは、ＵＥ１１０に割り当てられた第２のＩＰアドレスに関連する第２のデータ接続に対応し得る。対照的に、図２における設計の場合、ＵＥ１１０の全てのデータベアラがＰＤＮゲートウェイ１４８における単一のデータ接続に対応し得る。
【００５６】
[0073]  １つの設計では、ＵＥ１１０の全てのデータ接続のために（制御プレーンに応じて）共通サービングゲートウェイが使用され得る。この設計は、データベアラがアクティブ化され、非アクティブ化され、および／または変更される際に各データ接続のベアラ管理を簡略化し得る。別の設計では、ＵＥ１１０の異なるデータ接続のために異なるサービングゲートウェイが使用され得る。
【００５７】
[0074]  １つの設計では、例えば、図８に示されているように、単一のＰＤＮゲートウェイがＵＥ１１０の全てのデータ接続を終端し得る。別の設計では、（ｉ）ＵＥ１１０は、各ｅＮＢにおいて別個のＩＰアドレスを割り当てられ得、（ｉｉ）ＵＥ１１０のためのデータ接続はデータプレーン中で独立であり得るので、異なるＰＤＮゲートウェイがＵＥ１１０の異なるデータ接続を終端し得る。
【００５８】
[0075]  表１に、図２、図４および図６に示された３つの例示的な設計についてのベアラレベルスプリッティングの様々な特徴を要約する。
【表１】
2015529035.tif 000003
【００５９】
[0076]  データベアラはコアネットワークまたはＲＡＮにおいて終端され得、この選定は、ルーティング効率、コアネットワークへの影響などの様々な基準に基づいて選択され得る。また、ルーティング効率は、アンカーｅＮＢおよびブースタｅＮＢが実際の展開においてどのように接続されるかに依存し得る。ＰＤＣＰは、アンカーｅＮＢまたはブースタｅＮＢにおいて終端され得、この選定は、セキュリティおよびＲＲＣがアンカーｅＮＢまたはブースタｅＮＢにおいて終端されるかどうかなどの様々なファクタに基づいて選択され得る。
【００６０】
[0077]  ＵＥ１１０は、例えば、図１、図２、図４、図６および図８に示されているように、キャリアアグリゲーションのための複数のｅＮＢと通信し得る。ＵＥ１１０から見ると、ＵＥ１１０のデータベアラをサービスする各ｅＮＢはセルと見なされ得る。１つのセルがＵＥ１１０のための１次セル（Ｐｃｅｌｌ）として指定され得、各残りのセルはＵＥ１１０のための２次セル（Ｓｃｅｌｌ：secondary cell）と見なされ得る。ＬＴＥリリース１０は、同じｅＮＢにおける１つまたは複数のセルからのキャリアアグリゲーションをサポートし、キャリアアグリゲーションのためのＵＥ１１０をサービスしている全てのセル間の協調は、セルが同じｅＮＢにおいてコロケートされていることにより可能であり得る。
【００６１】
[0078]  複数のデータベアラがキャリアアグリゲーションのためにＵＥ１１０のために構成され得、ベアラレベルアグリゲーションと呼ばれることがある。ベアラレベルアグリゲーションは、ＬＴＥリリース１０において定義されている同じｅＮＢにおけるセルのキャリアアグリゲーションと組み合わされ得る。特に、ＵＥ１１０は、（ｉ）同じｅＮＢにおけるセルの第１のサブセットと（ｉｉ）異なるｅＮＢにおけるセルの第１のサブセットとコロケートされない（および場合によっては異なる無線アクセス技術を利用する）セルの第２のサブセットとを含み得る、キャリアアグリゲーションのための複数のセルによってサービスされ得る。セルの第１のサブセットは、ＬＴＥリリース１０において定義されているキャリアアグリゲーション規則に準拠し得る。ベアラレベルアグリゲーションはセルの第２のサブセットに適用され得る。ＵＥ１１０をサービスしている複数のセルの機能は、これらのセルが属するｅＮＢ間のレイテンシにより下位のレイヤにおいて独立であり得る。
【００６２】
[0079]  ＬＴＥリリース１０におけるキャリアアグリゲーションのいくつかの態様は、キャリアアグリゲーションのために独立したセル動作を可能にするように更新され得る。アップリンク上での制御情報の送信のために、ＵＥ１１０からのハイブリッド自動再送信（ＨＡＲＱ：hybrid automatic retransmission）フィードバックおよび周期チャネル状態情報（ＣＳＩ：channel state information）フィードバックが単一のセル（例えば、１次セル）に送信され得る。ベアラレベルアグリゲーションは、各セルがシングルキャリア動作の場合と同様の方法で動作するように、各セルへのアップリンク上での制御情報の送信をサポートし得る。ＵＥ１１０は、アップリンク上での制御情報の送信のために複数の物理アップリンク制御チャネル（ＰＵＣＣＨ：Physical Uplink Control Channel）、例えば、セルごとに１つのＰＵＣＣＨを割り当てられ得る。ＵＥ１１０は、例えば、ＬＴＥリリース１０において定義されているように、１次セル上のみでランダムアクセスを行い得る。代替的に、ＵＥ１１０は１次セルおよび２次セル上でランダムアクセスを行い得る。ＵＥ１１０は、良好な性能が取得され得るように、複数のセルによる不連続送信（ＤＴＸ）のために構成され得る。例えば、ＬＴＥリリース１０において定義されているように、単一のＭＡＣ  ＰＤＵが複数のセルをアクティブ化／非アクティブし得る。複数のセルが単一のＭＡＣ  ＰＤＵによってアクティブ／非アクティブにされることを可能にするために、セル間の何らかの協調が確立され得る。ＵＥ１１０をサービスしているセルごとに別個のＲＬＣが使用され得、これはＬＴＥリリース１０における全てのセルのための単一のＲＬＣとは異なる。ＵＥ１１０をサービスしているセルごとに別個のＲＲＣが使用され得、これはＬＴＥリリース１０における全てのセルのための単一のＲＲＣとは異なる。
【００６３】
[0080]  様々なプロシージャのためのコールフローが、ベアラレベルスプリッティングをサポートするように定義され得る。いくつかの例示的なコールフローについて以下で説明する。
【００６４】
[0081]  図９に、知られている物理セル識別情報（ＰＣＩ）とセルグローバル識別情報（ＣＧＩ）とのマッピングを用いたブースタｅＮＢを識別するための測定プロシージャのためのコールフロー９００を示す。ＬＴＥでは、各セルはＰＣＩおよびＣＧＩに関連付けられ得る。ＰＣＩは、特定の地理的エリア中のセルに対して一意である９ビット値である。ＣＧＩは、ＬＴＥネットワーク中の全てのセルのうちのセルに対して一意である。アンカーｅＮＢ１３０は、例えば、ＵＥ１１０によって接続が確立されたとき、または何らかのイベントに基づいて、ＵＥ１１０に測定構成(measurement configuration)を与える（ステップ１）。測定構成は、（ｉ）ＵＥ１１０がセルの測定を行うべきである基準、および／または（ｉｉ）ＵＥ１１０がアンカーｅＮＢ１３０にセルの測定結果を報告すべきである基準を搬送し得る。ＵＥ１１０は、測定構成に基づいて周期的におよび／またはいくつかのイベントによってトリガされたときに測定を行うように指示され得る。ＵＥ１１０は、トリガイベントに応答してセルの測定を行う（ステップ２）。ＵＥ１１０は、次いで、アンカーｅＮＢ１３０に測定報告メッセージを送り得る。測定報告メッセージは、測定結果と測定されたセルの（ＣＧＩではなく）ＰＣＩとを含み得る。測定結果は、受信信号強度／受信電力、受信信号品質、経路損失、ジオメトリなどについてであり得る。測定されたセルは、報告されたＰＣＩとこれらのセルについての知られているＰＣＩとＣＧＩとのマッピングとに基づいて一意に識別され得る。アンカーｅＮＢ１３０は、自動ネイバーリレーション（ＡＮＲ）により、または構成に基づいてＰＣＩとＣＧＩとのマッピングを判断し得る。ＡＮＲは、ｅＮＢがそれのネイバーがどれであるか見つけ出すことを可能にし、３ＧＰＰ３６．３００、セクション２２．３．２ａに記載されている。ＵＥが、ソースｅＮＢがそれについての情報を有しないターゲットｅＮＢのＰＣＩを報告した場合、ソースｅＮＢは、ＵＥに、報告されたＰＣＩについてのターゲットｅＮＢのＳＩＢ１を読み取り、セルＩＤ、トラッキングエリアなどを見つけ出すことを要求し得る。ソースｅＮＢは、次いで、この情報を使用してターゲットｅＮＢにＨＯをルーティングし得、また、ＡＮＲプロシージャを使用してターゲットｅＮＢのＩＰアドレスを見つけ出し、Ｘ２接続を確立し得る。測定結果および／または他の情報に基づいて、ＵＥ１１０のためにブースタｅＮＢが選択され得る。
【００６５】
[0082]  図１０に、未知のＰＣＩとＣＧＩとのマッピングを用いたブースタｅＮＢを識別するための測定プロシージャのためのコールフロー１０００を示す。アンカーｅＮＢ１３０は、例えば、ＵＥ１１０によって接続が確立されたとき、または何らかのイベントに基づいて、ＵＥ１１０に測定構成を与える（ステップ１）。ＵＥ１１０は、トリガイベントに応答してセルの測定を行う（ステップ２）。ＵＥ１１０は、次いで、測定結果および測定されたセルの（ＣＧＩではなく）ＰＣＩを含み得る測定報告メッセージをアンカーｅＮＢ１３０に送る（ステップ３）。アンカーｅＮＢ１３０は、報告されたＰＣＩに基づく１つまたは複数の測定されたセルのＣＧＩを知らないことがある（ステップ４）。これは、（ＰＣＩ混乱を生じ得る）多くのセルの存在、または（ＰＣＩが変化できたり、セルが突然現れたりできる）ダイナミックセルの存在によるものであり得る。
【００６６】
[0083]  アンカーｅＮＢ１３０は、次いで、ＲＲＣＣｏｎｎｅｃｔｉｏｎＲｅｃｏｎｆｉｇｕｒａｔｉｏｎメッセージなど、接続再構成メッセージをＵＥ１１０に送る（ステップ５）。このＲＲＣメッセージは、ＵＥ１１０によってそれらについてのＣＧＩが報告されるべきであるセルのＰＣＩのリストを含み得る。アンカーｅＮＢ１３０は、ＵＥ１１０が、それについてのＣＧＩが報告されるべきである各セルのシステム情報ブロックタイプ１（ＳＩＢ１）を収集するために、測定ギャップパターンを割り当て得る。ＵＥ１１０は、ＲＲＣＣｏｎｎｅｃｔｉｏｎＲｅｃｏｎｆｉｇｕｒａｔｉｏｎ−Ｃｏｍｐｌｅｔｅメッセージなど、接続再構成完了メッセージをアンカーｅＮＢ１３０に戻す（ステップ６）。ＵＥ１１０は、（例えば、アンカーｅＮＢ１３０によって割り当てられた測定ギャップ中に）ＳＩＢ１などから、それについてのＣＧＩが報告されるべきである各セルのシステム情報を読み取り、セルのシステム情報に基づいて各セルのＣＧＩを取得する（ステップ７）。ＵＥ１１０は、次いで、それについてのＣＧＩが報告されるべきであるセルのＣＧＩをもつ測定報告メッセージを送る（ステップ８）。測定結果および／または他の情報に基づいて、ＵＥ１１０のためにブースタｅＮＢが選択され得る。
【００６７】
[0084]  図１１に、ＲＡＮ１２０において終端されるデータベアラについてのアンカーｅＮＢ１３０からブースタｅＮＢ１３２にデータベアラをオフロードするためのコールフロー１１００の設計を示す。コールフロー１１００は、図４または図６に示されたネットワークアーキテクチャに適用可能であり得、ＲＲＣがブースタｅＮＢ１３２において利用可能でないことを仮定し得る。コールフロー１１００は、オフロード準備段階と、オフロード実行段階と、オフロード完了段階とを含む。
【００６８】
[0085]  アンカーｅＮＢ１３０は、セルの測定を行うためにＵＥ１１０に測定構成を与え得る（図１１に図示せず）。ＵＥ１１０は、イベントによってトリガされたときにセルの測定を行い、測定結果をアンカーｅＮＢ１３０に報告する（ステップ１）。ＵＥ１１０は、（必要な場合）これらのセルのＣＧＩを取得するために、ＳＩＢ１などを通して、測定されたセルのシステム情報を読み取り得、ＣＧＩは、これらのセルを明確に識別するために使用され得る。
【００６９】
[0086]  アンカーｅＮＢ１３０は、測定結果および／または他の情報に基づいて、どのデータベアラをブースタｅＮＢ１３２にオフロードすべきかを判断する（ステップ２）。ステップ２のために、アンカーｅＮＢ１３０は、どの発展型無線アクセスベアラ（Ｅ−ＲＡＢ）をブースタｅＮＢ１３２にオフロードすべきかを判断する。Ｅ−ＲＡＢとデータベアラとの間に１対１マッピングがあり得る。アンカーｅＮＢ１３０は、次いで、（ハンドオーバ要求メッセージと同様であり得る）オフロード要求メッセージをブースタｅＮＢ１３２に送る（ステップ３）。オフロード要求は、アンカーｅＮＢ１３０など、サービングｅＮＢ以外の別のｅＮＢにおいてデータをサービスするための任意のタイプのメッセージであり得る。オフロード要求メッセージは、オフロードされるデータベアラのリストと、ＱｏＳ情報、アンカーｅＮＢ１３０がダウンリンクデータをフォワーディングすることを提案するという指示、ＴＮＬ  ＩＰアドレス情報、ＧＴＰトンネルエンドポイントＩＤ（ＴＥＩＤ：Tunnel Endpoint ID）などの各データベアラについての関連情報とを含み得る。ＱＯＳ情報は、ＱｏＳクラス識別子（ＱＣＩ）、アクセス制御のための優先度（または、セルが輻輳するようになった場合、どのデータベアラを最初にドロップするか）を示す割振りおよび保持優先度（ＡＲＰ：allocation and retention priority）、ダウンリンクおよびアップリンクついてのＧＢＲベアラの最大ビットレートおよび保証ビットレートを示し得るＧＢＲ  ＱｏＳ情報などを含み得る。ＴＮＬ  ＩＰアドレス情報は、各側がデータベアラのためのＧＴＰトンネルのために使用し得るＩＰアドレスを含み得、例えば、ｅＮＢはＱＣＩのタイプごとに別個のＩＰアドレスを使用し得る。ＴＥＩＤは、データベアラのためのトンネルを各側で識別し得る。ブースタｅＮＢ１３２は、アンカーｅＮＢ１３０へのＸ２インターフェースを使用し、コアネットワーク１４０へのＳ１インターフェースを使用しないので、アンカーｅＮＢ１３０は、サービングゲートウェイ１４６および／またはＰＤＮゲートウェイ１４８のＧＴＰ−Ｕアドレス指定情報を含むことも含まないこともある。
【００７０】
[0087]  ブースタｅＮＢ１３２は、アンカーｅＮＢ１３０からオフロード要求メッセージを受信し、アンカーｅＮＢ１３０によって送られたデータベアラのリストのための承認制御を行う（ステップ４）。ブースタｅＮＢ１３２は、次いで、（ハンドオーバ要求ＡＣＫメッセージと同様であり得る）オフロード要求ＡＣＫメッセージなど、確認応答メッセージをアンカーｅＮＢ１３０に戻す（ステップ５）。オフロード要求ＡＣＫメッセージは、アンカーｅＮＢからブースタｅＮＢへのトランスペアレントコンテナとデータベアラセットアップのリストとを含み得る。トランスペアレントコンテナは、ＨａｎｄｏｖｅｒＣｏｍｍａｎｄメッセージと同様であり得るＯｆｆｌｏａｄＣｏｍｍａｎｄメッセージなど、コマンドメッセージを含み得る。データベアラセットアップのリストは、（ｉ）ブースタｅＮＢ１３２にデータベアラのためのダウンリンクデータをフォワーディングするためにアンカーｅＮＢ１３０によって使用され得る、ブースタｅＮＢダウンリンクについてのＧＴＰ−Ｕアドレス指定情報、および（ｉｉ）アンカーｅＮＢ１３０にＵＥ１１０のためのアップリンクデータをフォワーディングするためにブースタｅＮＢ１３２によって使用され得る、ブースタｅＮＢアップリンクについてのＧＴＰ−Ｕアドレス指定情報などの各データベアラについての関連情報を含み得る。
【００７１】
[0088]  アンカーｅＮＢ１３０は、ＲＲＣＣｏｎｎｅｃｔｉｏｎＲｅｃｏｎｆｉｇｕｒａｔｉｏｎメッセージなど、接続再構成メッセージをＵＥ１１０に送る（ステップ６）。このメッセージは、ブースタｅＮＢ１３２にオフロードされているデータベアラのリストについての専用無線リソース構成情報を含み得る。ＵＥ１１０は、ＭＡＣをリセットし得、ブースタｅＮＢ１３２にオフロードされている全てのデータベアラのためのＰＤＣＰおよびＲＬＣを再確立し得る。ＵＥ１１０は、ＲＲＣ＿ＣＯＮＮＥＣＴＥＤ状態で動作し、ランダムアクセスチャネル（ＲＡＣＨ）上で無競合ランダムアクセスプリアンブル（ＲＡＰ：random access preamble）をブースタｅＮＢに送る（ステップ７）。ブースタｅＮＢ１３２は、ＵＥ１１０からランダムアクセスプリアンブルを受信し得、ランダムアクセスプリアンブル中のシグネチャシーケンスを検証し得る。ブースタｅＮＢ１３２は、次いで、ランダムアクセス応答をＵＥ１１０に送る（ステップ８）。ランダムアクセス応答は、ブースタｅＮＢ１３２によってＵＥ１１０に割り当てられたＰＤＣＣＨ上で適切なセル無線ネットワーク一時識別情報（Ｃ−ＲＮＴＩ：Cell Radio Network Temporary Identity）にアドレス指定され得る。
【００７２】
[0089]  アンカーｅＮＢ１３０は、ＰＤＣＰステータス保持をそれに適用するデータベアラ、例えば、ＲＬＣ確認応答モード（ＡＭ：acknowledged mode）をもつデータベアラのアップリンクＰＤＣＰ  ＳＮ受信機ステータスとダウンリンクＰＤＣＰ  ＳＮ送信機ステータスとを搬送するために、ＳＮステータス転送メッセージなど、ステータス転送メッセージをブースタｅＮＢ１３２に送る（ステップ９）。アンカーｅＮＢ１３０は、ＲＬＣ−ＡＭをもつ少なくとも１つのデータベアラがブースタｅＮＢ１３２にオフロードされている場合のみ、このメッセージを送り得る。アンカーｅＮＢ１３０は、ブースタｅＮＢ１３２に、（アンカーｅＮＢ１３０においてデータベアラバッファに記憶され得る）オフロードされたデータベアラのためのダウンリンクデータを順番にフォワーディングすることを開始し得る。ステップ９およびアンカーｅＮＢ１３０によるデータフォワーディングは、ステップ６の後の任意の時間に、例えば、並行しておよびステップ６の直後に行われ得る。
【００７３】
[0090]  ＵＥ１１０は、ＲＲＣＣｏｎｎｅｃｔｉｏｎＲｅｃｏｎｆｉｇｕｒａｔｉｏｎＣｏｍｐｌｅｔｅメッセージなど、接続再構成完了メッセージをアンカーｅＮＢ１３０に送る（ステップ１０）。ブースタｅＮＢ１３２はＰＤＣＣＨ上で制御情報をＵＥに送り得る。制御情報は、新しい送信のためのアップリンク許可を含み得る。ＰＤＣＣＨは、ブースタｅＮＢ１３２によってＵＥ１１０に割り当てられ、ステップ６において接続再構成メッセージ中で送られたＣ−ＲＮＴＩにアドレス指定され得る。ＵＥ１１０は、その後、ブースタｅＮＢ１３２を介して、全てのオフロードされたデータベアラのためのアップリンクデータを送り、ダウンリンクデータを受信し得る。ブースタｅＮＢ１３２は、（ＵＥコンテキスト解放メッセージと同様であり得る）ＵＥオフロード完了メッセージなど、完了メッセージをアンカーｅＮＢ１３０に送る（ステップ１１）。このメッセージは、アンカーｅＮＢ１３０についてのｅＮＢ  ＵＥ  Ｘ２ＡＰ  ＩＤと、ブースタｅＮＢ１３２についてのｅＮＢ  ＵＥ  Ｘ２ＡＰ  ＩＤとを含み得る。
【００７４】
[0091]  図１２に、コアネットワーク１４０において終端されるデータベアラについてのアンカーｅＮＢ１３０からブースタｅＮＢ１３２にデータベアラをオフロードするためのコールフロー１２００の設計を示す。コールフロー１２００は、図２に示されたネットワークアーキテクチャに適用可能であり得る。コールフロー１２００は、図１１のコールフロー１１００におけるステップ１〜１１に対応するステップ１〜１１を含む。コールフロー１２００は、サービングゲートウェイ１４６との間でＵＥ１１０のためのデータをルーティングするためにコアネットワーク１４０中のデータベアラを変更するための追加のステップをさらに含む。
【００７５】
[0092]  ステップ７および８の後に、ブースタｅＮＢ１３２は、ブースタｅＮＢ１３２にオフロードされているデータベアラに対応するＥ−ＲＡＢのために（経路切替え要求メッセージと同様であり得る）Ｅ−ＲＡＢ切替え要求メッセージなど、切替え要求メッセージをＭＭＥ１４２に送る（ステップ１２）。Ｅ−ＲＡＢ切替え要求メッセージは、ＭＭＥ  ＵＥ  Ｓ１ＡＰ  ＩＤと、ブースタｅＮＢ１３２についてのｅＮＢ  ＵＥ  Ｓ１ＡＰ  ＩＤと、オフロードされているデータベアラのリストと、ブースタｅＮＢダウンリンクおよびアップリンクについてのＧＴＰ−Ｕアドレス指定情報を含み得る各データベアラについての関連情報とを含み得る。代替的に、ブースタｅＮＢ１３２は、ステップ９の後にＥ−ＲＡＢ切替え要求メッセージをＭＭＥ１４２に送り得る。
【００７６】
[0093]  ＭＭＥ１４２は、Ｅ−ＲＡＢ切替え要求メッセージを受信し、ベアラ変更要求メッセージをサービングゲートウェイ１４６／ＰＤＮゲートウェイ１４８に送る（ステップ１３）。ベアラ変更要求メッセージは、オフロードされているデータベアラのリスト、各データベアラについての関連情報、ブースタｅＮＢ１３２についてのアドレス情報などを含み得る。各データベアラについての関連情報は、各データベアラについてのデータベアラＩＤ、例えば、デフォルトデータベアラおよび全ての専用データベアラについてのデータベアラＩＤを含み得る。アドレス情報は、ＵＥ１１０のためのデフォルトデータベアラおよび専用データベアラを一意に識別するために使用され得る、ユーザプレーンのためのブースタｅＮＢ１３２のトンネルエンドポイント識別子（ＴＥＩＤ）とＩＰアドレスとを含み得る。
【００７７】
[0094]  サービングゲートウェイ１４６／ＰＤＮゲートウェイ１４８は、ＭＭＥ１４２からベアラ変更要求メッセージを受信し得、１つまたは複数のＧＴＰ−Ｕ「終端マーカー（End Marker）」パケットをアンカーｅＮＢ１３０に送り得る。サービングゲートウェイ１４６／ＰＤＮゲートウェイ１４８はまた、オフロードされたデータベアラのためのダウンリンクデータをブースタｅＮＢ１３２に直接送ることを開始し得る。アンカーｅＮＢ１３０は、１つまたは複数のＧＴＰ−Ｕ「終端マーカー」パケットをブースタｅＮＢ１３２に送り得る。ブースタｅＮＢ１３２は、オフロードされたデータベアラのためのダウンリンクデータをサービングゲートウェイ１４６／ＰＤＮゲートウェイ１４８から直接受信し得、オフロードされたデータベアラのためのダウンリンクデータをＵＥ１１０に送ることを開始し得る。
【００７８】
[0095]  サービングゲートウェイ１４６／ＰＤＮゲートウェイ１４８はベアラ変更応答メッセージをＭＭＥ１４２に送る（ステップ１４）。ＭＭＥ１４２は、（経路切替え要求ＡＣＫメッセージと同様であり得る）Ｅ−ＲＡＢ切替え要求ＡＣＫメッセージなど、切替え要求肯定応答メッセージをブースタｅＮＢ１３２に送る（ステップ１５）。
【００７９】
[0096]  図１３に、ＲＡＮ１２０において終端されるデータベアラについてのアンカーｅＮＢ１３０によるブースタｅＮＢ１３２からのデータベアラの処理(handling)を変更するためのコールフロー１３００の設計を示す。データベアラの処理の変更により、データベアラがアンカーｅＮＢ１３０による処理のために戻るとき、それはテイクバック（take back）またはフォールバック（fallback）と呼ばれることもある。コールフロー１３００は、図４または図６に示されたネットワークアーキテクチャに適用可能であり得、ＲＲＣがブースタｅＮＢ１３２において利用可能でないことを仮定し得る。コールフロー１３００は、処理変更準備段階(modify handling preparation phase)と、処理変更実行段階(modify handling execution phase)と、処理変更完了段階( modify handling completion phase)とを含む。
【００８０】
[0097]  ＵＥ１１０は、ＵＥ１１０の測定構成によって判断され得るトリガイベントに応答して、測定報告をアンカーｅＮＢ１３０に送る（ステップ１）。測定報告は、ブースタｅＮＢ１３２によってサービスされる１つまたは複数のセルおよび／または他のセルについての測定結果を含み得る。アンカーｅＮＢ１３０は、ブースタｅＮＢ１３２にオフロードされたＵＥ１１０の全てのデータベアラの処理を変更することを判断する（ステップ２）。代替的に、アンカーｅＮＢ１３０は、ブースタｅＮＢ１３２にオフロードされたデータベアラのサブセットのみの処理を変更することを決定し得る。代替的にさらに、アンカーｅＮＢ１３０は、オフロードされたデータベアラの全てまたはサブセットの処理を１つまたは複数の他のブースタｅＮＢにダイレクトすることを決定し得る。（例えば、図１１または図１２における）オフローディングプロシージャまたは処理変更プロシージャは、ブースタｅＮＢ１３２とのアクティブな接続を維持しながら、どのデータベアラをブースタｅＮＢ１３２にオフロードすべきかを変更するために使用され得る。
【００８１】
[0098]  アンカーｅＮＢ１３０は、処理変更要求メッセージなど、処理変更要求メッセージをブースタｅＮＢ１３２に送る（ステップ３）。どのデータベアラをブースタｅＮＢ１３２にオフロードすべきかを変更する場合、処理変更要求メッセージは、もはやオフロードされないデータベアラのリストおよび／またはオフロードされる追加のデータベアラのリストを含み得る。メッセージは、ＱｏＳ情報、アンカーｅＮＢ１３０がデータベアラのためのダウンリンクデータをフォワーディングすることを提案するという指示などの追加のオフロードされた各データベアラについての関連情報をも含み得る。アンカーｅＮＢ１３０がデータベアラをテイクバックしない場合、代替態様では、アンカーｅＮＢ１３０は、オフロード要求をブースタｅＮＢ１３０１および１３０２など、１つまたは複数の他のブースタｅＮＢに送り（代替的ステップ３ａおよび３ｂ）、そのメッセージ中でブースタｅＮＢ１３２に、データベアラがブースタｅＮＢ１３０１および１３０２にフォワーディングされることになることを通知する。ブースタｅＮＢ１３２は、アンカーｅＮＢ１３０からメッセージを受信し、処理変更要求ＡＣＫメッセージなど、肯定応答メッセージをアンカーｅＮＢ１３０に戻す（ステップ４）。
【００８２】
[0099]  アンカーｅＮＢ１３０は、ＲＲＣＣｏｎｎｅｃｔｉｏｎＲｅｃｏｎｆｉｇｕｒａｔｉｏｎメッセージなど、接続再構成メッセージをＵＥ１１０に送る（ステップ５）。このメッセージは、アンカーｅＮＢ１３０によって処理が変更されているデータベアラのリストについての専用無線リソース構成情報を含み得る。代替的に、メッセージは、ブースタｅＮＢ１３２においてデータベアラを解放することと、アンカーｅＮＢ１３０あるいはブースタｅＮＢ１３０１およびブースタｅＮＢ１３０２のうちの１つまたは複数あるいはそれらの組合せにおいて使用されるデータベアラを再構成することとを指示し得る。いずれの場合も、ＵＥ１１０は、アンカーｅＮＢ１３０から接続再構成メッセージを受信し得、ＭＡＣをリセットし、処理が変更されている全てのデータベアラのためのＰＤＣＰおよびＲＬＣを再確立し得る。
【００８３】
[00100]  ブースタｅＮＢ１３２は、例えば、ＲＬＣ−ＡＭをもつデータベアラについて、ＰＤＣＰステータス保持がそれに適用されるＥ−ＲＡＢのアップリンクＰＤＣＰ  ＳＮ受信機ステータスとダウンリンクＰＤＣＰ  ＳＮ送信機ステータスとを搬送するために、ＳＮステータス転送メッセージなど、ステータス転送メッセージをアンカーｅＮＢ１３０に送る（ステップ６）。ブースタｅＮＢ１３２は、少なくとも１つのデータベアラがＲＬＣ−ＡＭでありブースタｅＮＢ１３２にオフロードされた場合のみ、このメッセージを送る。ブースタｅＮＢ１３２は、アンカーｅＮＢ１３０またはオフロードされたデータベアラを処理することになる基地局に、（データベアラバッファに記憶され得る）処理が変更されているデータベアラのためのダウンリンクデータを順番にフォワーディングすることを開始し得る。代替的に、アンカーｅＮＢ１３０は、ＵＥ１１０のためのダウンリンクデータをバッファしていることがあり、従って、そのデータはブースタｅＮＢ１３２によってフォワーディングされる必要がない。ステップ６およびブースタｅＮＢ１３２によるデータフォワーディングは、ステップ４の後の任意の時間に、例えば、並行しておよびステップ４の直後に行われ得る。
【００８４】
[00101]  ＵＥ１１０は、ＲＲＣＣｏｎｎｅｃｔｉｏｎＲｅｃｏｎｆｉｇｕｒａｔｉｏｎＣｏｍｐｌｅｔｅメッセージなど、接続再構成完了メッセージをアンカーｅＮＢ１３０に送る（ステップ７）。ブースタｅＮＢ１３２においてＵＥ１１０のための残りのＥ−ＲＡＢがない場合、次いで、ＵＥ１１０は、ブースタｅＮＢ１３２と通信することを停止し得、ブースタｅＮＢ１３２によってＵＥ１１０に割り当てられた関係するリソースを解放し得る。
【００８５】
[00102]  代替態様では、アンカーｅＮＢ１３０が、ブースタｅＮＢ１３２からブースタｅＮＢ１３０１および１３０２にデータベアラをオフロードすることを決定するときなどに、ＵＥ１１０と交換されたパケットデータが、アンカーｅＮＢ１３０に加えてまたはそれの代わりに、ブースタｅＮＢ１３０１および１３０２と交換され得ることに留意されたい。
【００８６】
[00103]  アンカーｅＮＢ１３０は、（ＵＥコンテキスト解放メッセージと同様であり得る）ＵＥ処理変更完了メッセージなど、処理変更完了メッセージをブースタｅＮＢ１３２に送る（ステップ８）。ＵＥ処理変更完了メッセージは、アンカーｅＮＢ１３０についての、またはブースタｅＮＢ１３２からオフロードされたベアラを現在処理している他の基地局のうちのいずれかについてのｅＮＢ  ＵＥ  Ｘ２ＡＰ  ＩＤと、ブースタｅＮＢ１３２についてのｅＮＢ  ＵＥ  Ｘ２ＡＰ  ＩＤとを含み得る。
【００８７】
[00104]  図１４に、コアネットワーク１４０において終端されるデータベアラについてのアンカーｅＮＢ１３０によってブースタｅＮＢ１３２からデータベアラをテイクバックするためのコールフロー１４００の設計を示す。コールフロー１４００は、図２に示されたネットワークアーキテクチャに適用可能であり得、ＲＲＣがブースタｅＮＢ１３２において利用可能でないことを仮定し得る。コールフロー１４００は、図１３のコールフロー１３００におけるステップ１〜８に対応するステップ１〜８を含む。コールフロー１４００は、サービングゲートウェイ１４６との間でＵＥ１１０のためのデータをルーティングするためにコアネットワーク１４０中のデータベアラを変更するための追加のステップをさらに含む。
【００８８】
[00105]  アンカーｅＮＢ１３０は、（処理が変更されているデータベアラを除外し得る）オフロードされるデータベアラのためのＥ−ＲＡＢ切替え要求メッセージをＭＭＥ１４２に送り得る。このメッセージは、ＭＭＥ１４２についてのＭＭＥ  ＵＥ  Ｓ１ＡＰ  ＩＤと、ブースタｅＮＢ１３２についてのｅＮＢ  ＵＥ  Ｓ１ＡＰ  ＩＤと、オフロードされるデータベアラのリストと、ｅＮＢＧＴＰ−Ｕアドレス指定情報などの各データベアラについての関連情報とを含む（ステップ９）。ステップ９は、ステップ６および７の任意の時間後に（例えば、直後に）行われ得る。
【００８９】
[00106]  ＭＭＥ１４２はベアラ変更要求メッセージをサービングゲートウェイ１４６／ＰＤＮゲートウェイ１４８に送り得る。このメッセージは、オフロードされるデータベアラのリストと、データベアラＩＤ（例えば、デフォルトデータベアラおよび全ての専用データベアラについてのデータベアラＩＤ）、（デフォルトデータベアラおよびＵＥ１１０の専用データベアラを一意に識別するために使用され得る）ユーザプレーンのためのアンカーｅＮＢ１３０のＴＥＩＤおよびＩＰｖ４アドレス、および／または他の情報などの各データベアラについての関連情報とを含み得る。
【００９０】
[00107]  サービングゲートウェイ１４６／ＰＤＮゲートウェイ１４８は、ＭＭＥ１４２からベアラ変更要求メッセージを受信し得、１つまたは複数のＧＴＰ−Ｕ「終端マーカー」パケットをブースタｅＮＢ１３２に送り得る。サービングゲートウェイ１４６／ＰＤＮゲートウェイ１４８はまた、処理が変更されているデータベアラのためのダウンリンクデータをアンカーｅＮＢ１３０に（例えば、直接）送ることを開始し得る。ブースタｅＮＢ１３２はアンカーｅＮＢ１３０に１つまたは複数のＧＴＰ−Ｕ「終端マーカー」パケットをフォワーディングし得る。アンカーｅＮＢ１３０は、その後、サービングゲートウェイ１４６／ＰＤＮゲートウェイ１４８から、ＵＥ１１０のオフロードされたデータベアラのためのダウンリンクデータを受信し得、そのデータをＵＥ１１０に送り得る。
【００９１】
[00108]  サービングゲートウェイ１４６／ＰＤＮゲートウェイ１４８はベアラ変更応答メッセージをＭＭＥ１４２に送る（ステップ１１）。ＭＭＥ１４２はＥ−ＲＡＢ切替え要求ＡＣＫメッセージをアンカーｅＮＢ１３０に送る（ステップ１２）。
【００９２】
[00109]  図１５に、ＲＡＮ１２０において終端されるデータベアラについてのブースタｅＮＢ１３２においてデータベアラを追加するかまたは除去するためのコールフロー１５００の設計を示す。コールフロー１５００は、図４または図６に示されたネットワークアーキテクチャに適用可能であり得、ＲＲＣがブースタｅＮＢ１３２において利用可能でないことを仮定し得る。
【００９３】
[00110]  ＵＥ１１０は、ＵＥ１１０の測定構成によって判断され得るトリガイベントに応答して、測定報告をアンカーｅＮＢ１３０に送る（ステップ１）。測定報告は、ブースタｅＮＢ１３２によってサービスされる１つまたは複数のセルおよび／または他のセルについての測定結果を含み得る。アンカーｅＮＢ１３０は、ブースタｅＮＢ１３２において追加されるＥ−ＲＡＢのリストおよび／または除去されるＥ−ＲＡＢのリストを判断する（ステップ２）。各Ｅ−ＲＡＢは、ブースタｅＮＢ１３２において追加されるかまたは除去されるＵＥ１１０のデータベアラに関連付けられ得る。
【００９４】
[00111]  アンカーｅＮＢ１３０は、（ハンドオーバ要求メッセージと同様であり得る）Ｅ−ＲＡＢ変更要求メッセージをブースタｅＮＢ１３２に送る（ステップ３）。Ｅ−ＲＡＢ変更要求メッセージは、（もしあれば）ブースタｅＮＢ１３２によってすでにサービスされているデータベアラに追加されるデータベアラのリスト（すなわち、オフロードするためのデータベアラのリスト）および／またはブースタｅＮＢ１３２によってもはやサービスされないデータベアラのリストおよび／または（処理が変更されるべきであるデータベアラのリスト）を含み得る。メッセージは、ＱｏＳ情報、アンカーｅＮＢ１３０がＵＥ１１０のためのダウンリンクデータをフォワーディングすることを提案するという指示などの追加される各データベアラについての関連情報をも含み得る。ブースタｅＮＢ１３２は、アンカーｅＮＢ１３０へのＸ２インターフェースを使用し、Ｓ１インターフェースを使用し得ないので、アンカーｅＮＢ１３０は、サービングゲートウェイ１４６およびＰＤＮゲートウェイ１４８についてのＧＴＰ−Ｕアドレス指定情報を含むことも含まないこともある。
【００９５】
[00112]  ブースタｅＮＢ１３２は、アンカーｅＮＢ１３０によって送られたときに、追加されるデータベアラのリストについての承認制御を行う（ステップ４）。ブースタｅＮＢ１３２は、（ハンドオーバ要求メッセージと同様であり得る）Ｅ−ＲＡＢ変更要求ＡＣＫメッセージをアンカーｅＮＢ１３０に送る（ステップ５）。Ｅ−ＲＡＢ変更要求ＡＣＫメッセージは、ブースタｅＮＢからアンカーｅＮＢへのトランスペアレントコンテナと、ブースタｅＮＢ１３２に追加されるデータベアラのリストと、各データベアラについての関連情報とを含み得る。トランスペアレントコンテナは、（ＨａｎｄｏｖｅｒＣｏｍｍａｎｄメッセージと同様であり得る）ＭｏｄｉｆｙＣｏｍｍａｎｄメッセージを含み得る。各データベアラについての関連情報は、（ｉ）追加されたオフロードされたデータベアラのためのダウンリンクデータをブースタｅＮＢ１３２にフォワーディングするためにアンカーｅＮＢ１３０によって使用され得る、ブースタｅＮＢ  ＤＬ  ＧＴＰ−Ｕアドレス指定情報と（ｉｉ）追加されたオフロードされたデータベアラのためのアップリンクデータをアンカーｅＮＢ１３０にフォワーディングするためにブースタｅＮＢ１３２によって使用され得る、ブースタｅＮＢ  ＵＬ  ＧＴＰ−Ｕアドレス指定情報とを含み得る。
【００９６】
[00113]  アンカーｅＮＢ１３０は、ＲＲＣＣｏｎｎｅｃｔｉｏｎＲｅｃｏｎｆｉｇｕｒａｔｉｏｎをＵＥ１１０に送る（ステップ６）。このメッセージは、ブースタｅＮＢ１３２において追加されるデータベアラと、ブースタｅＮＢ１３２から除去され、アンカーｅＮＢ１３０においてサービスされるデータベアラとについての専用無線リソース構成情報を含み得る。ＵＥ１１０は、ＭＡＣをリセットし、ブースタｅＮＢ１３２において追加されるかまたは除去される全てのデータベアラのためのＰＤＣＰおよびＲＬＣを再確立し得る。
【００９７】
[00114]   アンカーｅＮＢ１３０は、ＰＤＣＰステータス保持をそれに適用する追加されたＥ−ＲＡＢ、例えば、ＲＬＣ−ＡＭをもつデータベアラのアップリンクＰＤＣＰ  ＳＮ受信機ステータスおよびダウンリンクＰＤＣＰ  ＳＮ送信機ステータスを搬送するために、ＳＮステータス転送メッセージをブースタｅＮＢ１３２に送る（ステップ７）。アンカーｅＮＢ１３０は、ＲＬＣ−ＡＭをもつ少なくとも１つのデータベアラが、ブースタｅＮＢ１３２にオフロードされたデータベアラのリストに追加される場合のみ、このメッセージを送り得る。アンカーｅＮＢ１３０は、ブースタｅＮＢ１３２に、（データベアラバッファに記憶され得る）追加されたオフロードされたデータベアラのためのダウンリンクデータを順番にフォワーディングすることを開始し得る。
【００９８】
[00115]  ブースタｅＮＢ１３２は、ＰＤＣＰステータス保持をそれに適用するＥ−ＲＡＢのアップリンクＰＤＣＰ  ＳＮ受信機ステータスおよびダウンリンクＰＤＣＰ  ＳＮ送信機ステータスを搬送するために、ＳＮステータス転送メッセージをアンカーｅＮＢ１３０に送る（ステップ８）。ブースタｅＮＢ１３２は、ＲＬＣ−ＡＭをもつ少なくとも１つのデータベアラが除去された場合のみ、このメッセージを送り得る。ブースタｅＮＢ１３２は、アンカーｅＮＢ１３２に、（データベアラバッファに記憶され得る）除去されたデータベアラについてのＵＥ１１０のためのダウンリンクデータを順番にフォワーディングすることを開始し得る。ステップ８およびデータフォワーディングは、ステップ５の後の任意の時間に（例えば、並行しておよび直後に）行われ得る代替的に、アンカーｅＮＢ１３０は、ＵＥ１１０のためのダウンリンクデータをバッファしていることがあり、ブースタｅＮＢ１３２は、ＵＥ１１０のためのダウンリンクデータをフォワーディングする必要がないことがある。
【００９９】
[00116]  ＵＥ１１０はＲＲＣＣｏｎｎｅｃｔｉｏｎＲｅｃｏｎｆｉｇｕｒａｔｉｏｎＣｏｍｐｌｅｔｅメッセージをアンカーｅＮＢ１３０に送る（ステップ９）。アンカーｅＮＢ１３０はＥ−ＲＡＢ変更完了メッセージをブースタｅＮＢ１３２に送る（ステップ１０）。
【０１００】
[00117]  図１６に、コアネットワーク１４０において終端されるデータベアラについてのブースタｅＮＢ１３２においてデータベアラを追加するかまたは除去するためのコールフロー１６００の設計を示す。コールフロー１６００は、図２に示されたネットワークアーキテクチャに適用可能であり得、ＲＲＣがブースタｅＮＢ１３２において利用可能でないことを仮定し得る。コールフロー１６００は、図１５のコールフロー１５００におけるステップ１〜１０に対応するステップ１〜１０を含む。コールフロー１６００は、サービングゲートウェイ１４６との間でＵＥ１１０のためのデータをルーティングするためにコアネットワーク１４０中のデータベアラを変更するための追加のステップをさらに含む。
【０１０１】
[00118]  アンカーｅＮＢ１３０は、データベアラがブースタｅＮＢ１３２において追加されるかまたは除去されるためにＥ−ＲＡＢ切替え要求メッセージをＭＭＥ１４２に送る（ステップ１１）。このメッセージは、ＭＭＥ１４２についてのＭＭＥ  ＵＥ  Ｓ１ＡＰ  ＩＤと、ブースタｅＮＢ１３２についてのｅＮＢ  ＵＥ  Ｓ１ＡＰ  ＩＤと、変更されるデータベアラのリストと、ｅＮＢＧＴＰ−Ｕアドレス指定情報などの各データベアラについての関連情報とを含み得る。
【０１０２】
[00119]  ＭＭＥ１４２は、ベアラ変更要求メッセージをサービングゲートウェイ１４６／ＰＤＮゲートウェイ１４８に送る（ステップ１２）。このメッセージは、変更されるデータベアラのリストと、データベアラＩＤ（例えば、デフォルトデータベアラおよび全ての専用データベアラについてのデータベアラＩＤ）などの各データベアラについての関連情報とを含み得る。このメッセージは、追加されたデータベアラについて、ユーザプレーンのためのブースタｅＮＢ１３２のＴＥＩＤおよびＩＰｖ４アドレスをも含み得る。このメッセージは、除去されたデータベアラについて、ユーザプレーンのためのアンカーｅＮＢ１３０のＴＥＩＤおよびＩＰｖ４アドレスをも含み得る。
【０１０３】
[00120]  ＭＭＥ１４２からベアラ変更要求メッセージを受信すると、サービングゲートウェイ１４６／ＰＤＮゲートウェイ１４８は、１つまたは複数のＧＴＰ−Ｕ「終端マーカー」パケットを、追加されたオフロードされたデータベアラのためのアンカーｅＮＢ１３０と、除去されたオフロードされたデータベアラのためのブースタｅＮＢ１３２とに送り得る。サービングゲートウェイ１４６／ＰＤＮゲートウェイ１４８は、（ｉ）追加されたオフロードされたデータベアラのためのダウンリンクデータを直接ブースタｅＮＢ１３２に、（ｉｉ）除去されたデータベアラのためのダウンリンクデータを直接アンカーｅＮＢ１３０に送ることを開始し得る。追加されたオフロードされたデータベアラについて、アンカーｅＮＢ１３０は、ブースタｅＮＢ１３２に１つまたは複数のＧＴＰ−Ｕ「終端マーカー」パケットをフォワーディングし得る。ブースタｅＮＢ１３２はその後、サービングゲートウェイ１４６／ＰＤＮゲートウェイ１４８から、追加されたオフロードされたデータベアラのためのダウンリンクデータを受信し得、ダウンリンクデータをＵＥ１１０に送り得る。除去されたオフロードされたデータベアラについて、ブースタｅＮＢ１３２は、アンカーｅＮＢ１３０に１つまたは複数のＧＴＰ−Ｕ「終端マーカー」パケットをフォワーディングし得る。アンカーｅＮＢはその後、サービングゲートウェイ１４６／ＰＤＮゲートウェイ１４８から、除去されたオフロードされたデータベアラのためのダウンリンクデータを受信し得、ダウンリンクデータをＵＥ１１０に送り得る。
【０１０４】
[00121]  サービングゲートウェイ１４６／ＰＤＮゲートウェイ１４８はベアラ変更応答メッセージをＭＭＥ１４２に送る（ステップ１３）。ＭＭＥ１４２はＥ−ＲＡＢ切替え要求ＡＣＫメッセージをアンカーｅＮＢ１３０に送る（ステップ１４）。
【０１０５】
[00122]  図１７に、ワイヤレスネットワークにおける通信をサポートするためのプロセス１７００の設計を示す。プロセス１７００は、（以下で説明するように）第１の基地局／ｅＮＢによって、または何らかの他のエンティティによって行われ得る。第１の基地局は、第１の基地局によってサービスされるＵＥのために構成された複数のデータベアラを識別する（ブロック１７１２）。第１の基地局はＵＥのためのアンカーｅＮＢであり得る。１つの設計では、複数のデータベアラが、キャリアアグリゲーションのためにＵＥのために構成された複数のキャリアを介して送られたデータを搬送し得る。第１の基地局は、第２の基地局を識別する測定報告をＵＥから受信する（ブロック１７１４）。第１の基地局は、第２の基地局に複数のデータベアラの中から少なくとも１つのデータベアラをオフロードすることを判断する（ブロック１７１６）。第１の基地局は、第２の基地局に少なくとも１つのデータベアラをオフロードするために第２の基地局と通信する（ブロック１７１８）。ＵＥのためのデータは、第１の基地局および第２の基地局を通して複数のデータベアラを介して送られ得る。
【０１０６】
[00123]  ブロック１７１８の１つの設計では、（例えば、図１１または図１２のステップ３において）第１の基地局がオフロード要求メッセージを第２の基地局に送る。オフロード要求メッセージは、第２の基地局にオフロードされている少なくとも１つのデータベアラを搬送し得る。オフロード要求メッセージは、少なくとも１つのデータベアラについてのＱｏＳ情報および／または他の情報をも含み得る。第１の基地局は、第２の基地局に少なくとも１つのデータベアラのためのデータをフォワーディングし得る。
【０１０７】
[00124]  （例えば、図１１または図１２のステップ６において）第１の基地局は再構成メッセージをＵＥに送る。再構成メッセージは、第２の基地局にオフロードされている少なくとも１つのデータベアラに関連する少なくとも１つの無線アクセスベアラについての無線リソース構成情報を含み得る。第２の基地局にオフロードされている少なくとも１つのデータベアラを搬送するために、（例えば、図１２のステップ１２において）第２の基地局からＭＭＥに切替え要求メッセージが送られる。
【０１０８】
[00125]  第１の基地局は、第２の基地局から１つまたは複数のデータベアラの処理を変更することを判断する（ブロック１７２０）。１つまたは複数のデータベアラは、第２の基地局にオフロードされた少なくとも１つのデータベアラのうちにあり得る。概して、オフロードされたデータベアラの全てまたはサブセットはそれらの処理を変更され得る。第１の基地局は、第２の基地局から１つまたは複数のデータベアラの処理を変更するために、第２の基地局と通信する（ブロック１７２２）。ＵＥの１つまたは複数のデータベアラのためのデータは、その後、第１の基地局を介して送られ得る。
【０１０９】
[00126]  ブロック１７２２の１つの設計では、（例えば、図１３または図１４のステップ３において）第１の基地局は処理変更要求メッセージを第２の基地局に送る。処理変更要求メッセージは、第２の基地局からその処理が変更されている１つまたは複数のデータベアラを搬送し得る。第１の基地局は、第２の基地局から第１の基地局にフォワーディングされた１つまたは複数のデータベアラのためのデータを受信し得る。
【０１１０】
[00127]  （例えば、図１３または図１４のステップ５において）第１の基地局は再構成メッセージをＵＥに送る。再構成メッセージは、第２の基地局から処理が変更されている１つまたは複数のデータベアラに関連する１つまたは複数の無線アクセスベアラについての無線リソース構成情報を含み得る。（例えば、図１４のステップ９において）第１の基地局は切替え要求メッセージをＭＭＥに送る。切替え要求メッセージは、第２の基地局からその処理が変更されている１つまたは複数のデータベアラを搬送し得る。
【０１１１】
[00128]  （例えば、図１５または図１６のステップ３において）第１の基地局は、ＵＥの１つまたは複数のデータベアラを変更すること（例えば、処理をオフロードすることまたは変更すること）を判断する。第１の基地局は、次いで、ＵＥの１つまたは複数のデータベアラを変更するために第２の基地局と通信し得る。
【０１１２】
[00129]  １つの設計では、ＵＥの複数のデータベアラは、例えば、図２に示されたように、第１および第２の基地局をサービスしているコアネットワークにおいて終端され得る。別の設計では、ＵＥの複数のデータベアラは、例えば、図４および図６に示されたように、第１および第２の基地局を含むＲＡＮにおいて終端され得る。データベアラをオフロードするためのプロシージャおよびデータベアラをテイクバックするためのプロシージャは、例えば、図１１〜図１６に示されたように、データベアラがコアネットワークにおいて終端されるか、ＲＡＮにおいて終端されるかに応じて異なる方法で行われ得る。
【０１１３】
[00130]  １つの設計では、第１の基地局は、ＵＥから測定報告を受信し得、測定報告に基づいてブロック１７１６において、少なくとも１つのデータベアラをオフロードするために第２の基地局を識別する。１つの設計では、第１の基地局は、測定報告から第２の基地局についてのＰＣＩを取得し得、ＰＣＩに基づいて第２の基地局を識別し得る。別の設計では、第１の基地局は、測定報告から第２の基地局についてのＣＧＩを取得し得、ＣＧＩに基づいて第２の基地局を識別し得る。
【０１１４】
[00131]  図１８に、ワイヤレスネットワークにおける通信をサポートするためのプロセス１８００の設計を示す。プロセス１８００は、（以下で説明するように）第２の基地局／ｅＮＢによって、または何らかの他のエンティティによって行われ得る。（例えば、図１１または図１２のステップ３において）第２の基地局は、第１の基地局によって送られたオフロード要求メッセージを受信する（ブロック１８１２）。オフロード要求メッセージは、第２の基地局にオフロードするために少なくとも１つのデータベアラを搬送し得る。少なくとも１つのデータベアラは、例えば、キャリアアグリゲーションのためにＵＥのために構成された複数のデータベアラのうちにあり得る。第１の基地局はＵＥのためのアンカーｅＮＢであり得、第２の基地局はＵＥのためのブースタｅＮＢであり得る。（例えば、図１１または図１２のステップ４において）第２の基地局は、ＵＥの少なくとも１つのデータベアラを承認する（ブロック１８１４）。第２の基地局は、第１の基地局から少なくとも１つのデータベアラのためのダウンリンクデータを受信し得る。第２の基地局は、その後、ＵＥの少なくとも１つのデータベアラのためのデータを交換する（例えば、送るおよび／または受信する）（ブロック１８１６）。
【０１１５】
[00132]  （例えば、図１３または図１４のステップ３において）第２の基地局は処理変更要求メッセージを受信する（ブロック１８１８）。処理変更要求メッセージは、第２の基地局から処理が第１の基地局によって変更されている１つまたは複数のデータベアラを搬送し得る。１つまたは複数のデータベアラは、第２の基地局にオフロードされた少なくとも１つのデータベアラのうちにあり得る。第２の基地局は、第１の基地局に１つまたは複数のデータベアラのためのダウンリンクデータをフォワーディングし、１つまたは複数のデータベアラのためのデータを交換することを停止する（ブロック１８２０）。
【０１１６】
[00133]  （例えば、図１５または図１６のステップ３において）第２の基地局は第１の基地局から変更要求メッセージを受信する。変更要求メッセージは、第２の基地局にオフロードされているかその処理が第２の基地局から変更されている１つまたは複数のデータベアラを搬送し得る。第２の基地局は、（ｉ）データベアラが第２の基地局にオフロードされている場合、１つまたは複数のデータベアラのためのダウンリンクデータを受信し、または（ｉｉ）データベアラの処理が第１の基地局によって変更されている場合、１つまたは複数のデータベアラのためのダウンリンクデータをフォワーディングし得る。
【０１１７】
[00134]  図１９に、ワイヤレスネットワークにおける通信のためのプロセス１９００の設計を示す。プロセス１９００は、（以下で説明するように）ＵＥによって、または何らかの他のエンティティによって行われ得る。（例えば、図１１または図１２のステップ６において）ＵＥは、第１の基地局から第１の再構成メッセージを受信する（ブロック１９１２）。第１の再構成メッセージは、第１の基地局から第２の基地局にオフロードされている少なくとも１つのデータベアラに関連する少なくとも１つの無線アクセスベアラについての第１の無線リソース構成情報を含み得る。１つの設計では、少なくとも１つのデータベアラは、キャリアアグリゲーションのためにＵＥのために構成された複数のデータベアラのうちにあり得る。第１の基地局はＵＥのためのアンカーｅＮＢであり得、第２の基地局はＵＥのためのブースタｅＮＢであり得る。（図１１または図１２のステップ７において）ＵＥは、第１の再構成メッセージに応答して（例えば、ＲＡＣＨを介して）第２の基地局にアクセスする（ブロック１９１４）。ＵＥは、その後、第２の基地局を介してＵＥの少なくとも１つのデータベアラのためのデータを交換する（例えば、送るおよび／または受信する）（ブロック１９１６）。
【０１１８】
[00135]  （図１４または図１５のステップ５において）ＵＥは、第１の基地局から第２の再構成メッセージを受信する（ブロック１９１８）。第２の再構成メッセージは、第２の基地局から処理が変更されている１つまたは複数のデータベアラに関連する１つまたは複数の無線アクセスベアラについての第２の無線リソース構成情報を含み得る。１つまたは複数のデータベアラは、第２の基地局にオフロードされた少なくとも１つのデータベアラのうちにあり得る。ＵＥは、１つまたは複数のデータベアラのために第２の基地局と通信することを停止し得、第１の基地局を介してＵＥの１つまたは複数のデータベアラのためのデータを交換する（ブロック１９２０）。
【０１１９】
[00136]  （図１５または図１６のステップ６において）ＵＥは、第１の基地局から第３の再構成メッセージを受信する。第３の再構成メッセージは、第２の基地局にオフロードされているかまたは第２の基地局から処理が変更されている、ＵＥの１つまたは複数のデータベアラに関連する１つまたは複数の無線アクセスベアラについての第３の無線リソース構成情報を含み得る。ＵＥは、（ｉ）データベアラがオフロードされている場合、１つまたは複数のデータベアラのために第２の基地局と通信することを開始し、または（ｉｉ）データベアラの処理が変更されている場合、１つまたは複数のデータベアラのために第２の基地局と通信することを停止し得る。
【０１２０】
[00137]  図２０に、図１におけるＵＥ１１０およびｅＮＢ／基地局１３０の例示的な設計のブロック図を示す。ｅＮＢ１３０はＴ個のアンテナ２０３４ａ〜２０３４ｔを装備し得、ＵＥ１１０はＲ個のアンテナ２０５２ａ〜２０５２ｒを装備し得、但し、一般にＴ≧１およびＲ≧１である。
【０１２１】
[00138]  ｅＮＢ１３０において、送信プロセッサ２０２０は、データソース２０１２から１つまたは複数のＵＥのためのデータを受信し、コントローラ／プロセッサ２０４０から制御情報を受信し得る。データソース２０１２は、ｅＮＢ１３０によってサービスされるＵＥ１１０と他のＵＥとのために構成された全てのデータベアラのためのデータバッファを実装し得る。送信プロセッサ２０２０は、データと制御情報とを処理（例えば、符号化、インターリーブ、およびシンボルマッピング）し、それぞれデータシンボルと制御シンボルとを取得し得る。送信プロセッサ２０２０はまた、１つまたは複数の基準信号のための基準シンボルを生成し得る。送信（ＴＸ）多入力多出力（ＭＩＭＯ）プロセッサ２０３０は、適用可能な場合、データシンボル、制御シンボル、および／または基準シンボルに対して空間処理（例えば、プリコーディング）を行い得、Ｔ個の変調器（ＭＯＤ）２０３２ａ〜２０３２ｔにＴ個の出力シンボルストリームを与え得る。各変調器２０３２は、（例えば、ＯＦＤＭ、ＳＣ−ＦＤＭＡ、ＣＤＭＡなどのために）該当の出力シンボルストリームを処理して出力サンプルストリームを取得し得る。各変調器２０３２は、さらに出力サンプルストリームを処理（例えば、アナログ変換、増幅、フィルタ処理、およびアップコンバート）してアップリンク信号を取得し得る。変調器２０３２ａ〜２０３２ｔからのＴ個のアップリンク信号は、それぞれＴ個のアンテナ２０３４ａ〜２０３４ｔを介して送信され得る。
【０１２２】
[00139]  ＵＥ１１０において、アンテナ２０５２ａ〜２０５２ｒが、ｅＮＢ１３０および他のｅＮＢからダウンリンク信号を受信し得、受信信号をそれぞれ復調器（ＤＥＭＯＤ）２０５４ａ〜２０５４ｒに与え得る。各復調器２０５４は、該当の受信信号を調整（例えば、フィルタ処理、増幅、ダウンコンバート、およびデジタル化）して受信サンプルを取得し得る。各復調器２０５４は、さらに受信サンプルを処理して受信シンボルを取得し得る。ＭＩＭＯ検出器２０５６は、全てのＲ個の復調器２０５４ａ〜２０５４ｒから受信シンボルを取得し得、受信シンボルに対してＭＩＭＯ検出を行い、検出シンボルを取得し得る。受信プロセッサ２０５８は、検出されたシンボルを処理（例えば、シンボルデマッピング、デインターリーブ、および復号）し、復号されたデータをデータシンク２０６０に与え、復号された制御情報をコントローラ／プロセッサ２０８０に与え得る。
【０１２３】
[00140]  アップリンク上では、ＵＥ１１０において、データソース２０６２からのデータと、コントローラ／プロセッサ２０８０からの制御情報とは、送信プロセッサ２０６４によって処理され、適用可能な場合はＴＸ  ＭＩＭＯプロセッサ２０６６によってプリコードされ、変調器２０５４ａ〜２０５４ｒによって調整され、ｅＮＢ１３０および他のｅＮＢに送信され得る。ｅＮＢ１３０において、ＵＥ１１０および他のＵＥからのアップリンク信号は、アンテナ２０３４によって受信され、復調器２０３２によって調整され、ＭＩＭＯ検出器２０３６によって処理され、さらに受信プロセッサ２０３８によって処理されて、ＵＥ１１０および他のＵＥによって送られたデータおよび制御情報が取得され得る。プロセッサ２０３８は、復号されたデータをデータシンク２０３９に与え、復号された制御情報をコントローラ／プロセッサ２０４０に与え得る。
【０１２４】
[00141]  コントローラ／プロセッサ２０４０および２０８０は、それぞれｅＮＢ１３０における動作およびＵＥ１１０における動作を指示し得る。メモリ２０４２および２０８２は、それぞれｅＮＢ１３０およびＵＥ１１０のためのデータおよびプログラムコードを記憶し得る。スケジューラ２０４４は、ＵＥ１１０および他のＵＥをダウンリンクおよびアップリンク上のデータ送信用にスケジュールし得、スケジュールされたＵＥにリソースを割り当て得る。ｅＮＢ１３０におけるプロセッサ２０４０および／または他のプロセッサおよびモジュールは、図９のコールフロー９００、図１０のコールフロー１０００、図１１のコールフロー１１００、図１２のコールフロー１２００、図１３のコールフロー１３００、図１４のコールフロー１４００、図１５のコールフロー１５００、図１６のコールフロー１６００、図１７のプロセス１７００、図１８のプロセス１８００、および／または本明細書で説明した技法のための他のコールフローおよびプロセスにおいてｅＮＢ１３０によって行われる動作を行うか指示し得る。ＵＥ１１０におけるプロセッサ２０８０および／または他のプロセッサおよびモジュールは、コールフロー９００、１０００、１１００、１２００、１３００、１４００、１５００および１６００、図１９のプロセス１９００、および／または本明細書で説明した技法ダウンリンク上でのデータ送信のための他のコールフローおよびプロセスにおけるＵＥ１１０の動作を行うか指示し得る。
【０１２５】
[00142]  ｅＮＢ１３２は、ｅＮＢ１３０と同様の方法で実装され得る。ｅＮＢ１３２における１つまたは複数のプロセッサおよび／またはモジュールは、コールフロー９００、１０００、１１００、１２００、１３００、１４００、１５００および１６００、プロセス１７００および１８００、および／または本明細書で説明した技法のための他のプロセスにおいてｅＮＢ１３２によって行われる動作を行うか指示し得る。
【０１２６】
[00143]  情報および信号は多種多様な技術および技法のいずれかを使用して表され得ることを、当業者は理解されよう。例えば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１２７】
[00144]  さらに、本明細書の開示に関連して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈すべきではない。
【０１２８】
[00145]  本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を行うように設計されたそれらの任意の組合せを用いて実装または行われ得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、例えば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１２９】
[00146]  本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末内に常駐し得る。代替として、プロセッサおよび記憶媒体は、ユーザ端末中に個別構成要素として常駐し得る。
【０１３０】
[00147]  １つまたは複数の例示的な設計では、説明した機能は、ハードウェア、ソフトウェア、ファームウェア、またはそれらの組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備え得る。また、いかなる接続もコンピュータ可読媒体と適切に呼ばれる。例えば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザーで光学的に再生する。上記の組合せもコンピュータ可読媒体の範疇に含まれるべきである。
【０１３１】
[00148]  本開示についての以上の説明は、いかなる当業者も本開示を作成または使用できるように与えたものである。本開示への様々な修正は当業者には容易に明らかとなり、本明細書で定義した一般原理は、本開示の趣旨または範囲から逸脱することなく他の変形形態に適用され得る。従って、本開示は、本明細書で説明する例および設計に限定されるものではなく、本明細書で開示する原理および新規の特徴に合致する最も広い範囲を与えられるべきである。
【図１】
2015529035.tif 000004
【図２】
2015529035.tif 000005
【図３】
2015529035.tif 000006
【図４】
2015529035.tif 000007
【図５】
2015529035.tif 000008
【図６】
2015529035.tif 000009
【図７】
2015529035.tif 000010
【図８】
2015529035.tif 000011
【図９】
2015529035.tif 000012
【図１０】
2015529035.tif 000013
【図１１】
2015529035.tif 000014
【図１２】
2015529035.tif 000015
【図１３】
2015529035.tif 000016
【図１４】
2015529035.tif 000017
【図１５】
2015529035.tif 000018
【図１６】
2015529035.tif 000019
【図１７】
2015529035.tif 000020
【図１８】
2015529035.tif 000021
【図１９】
2015529035.tif 000022
【図２０】
2015529035.tif 000023
【国際調査報告】
2015529035.tif 000024
2015529035.tif 000025
2015529035.tif 000026